(57)【要約】【課題】異常が発生した空気調和機の室外ユニットを、多くの室外ユニットの中から特別な部品を設けることなく安価に、かつ容易に見つけ出すことができるようにして、サービス作業を行いやすくする。【解決手段】冷媒配管３にて接続されるとともに、相互に情報を通信する室内ユニット２と室外ユニット１とを有する空気調和機において、室内ユニット２あるいは室外ユニット１の異常を検出する異常検出手段４４と、異常検出手段４４により異常を検出した時に、室外ユニット１の室外ファン７を通常の運転と区別可能な所定の回転パターンで運転する室外ファン区別運転手段４５と、を設ける。【選択図】　　　　図６
2004116836.tif 000002
【特許請求の範囲】
【請求項１】
冷媒配管にて接続されるとともに、相互に情報を通信する室内ユニットと室外ユニットとを有する空気調和機において、前記室内ユニットあるいは前記室外ユニットの異常を検出する異常検出手段と、前記異常検出手段により異常を検出した時に、前記室外ユニットの室外ファンを通常の運転と区別可能な所定の回転パターンで運転する室外ファン区別運転手段と、を設けたことを特徴とする空気調和機。
【請求項２】
冷媒配管にて接続されるとともに、相互に情報を通信する室内ユニットと室外ユニットとを有する空気調和機において、前記室内ユニットあるいは前記室内ユニットに運転指令を与えるリモートコントローラに配置した点検指令信号を与える点検指令手段と、前記点検指令手段から点検指令信号を受信した時に、前記室外ユニットの室外ファンを通常の運転と区別可能な所定の回転パターンで運転する室外ファン区別運転手段と、を設けたことを特徴とする空気調和機。
【請求項３】
前記室外ファン区別運転手段による前記室外ファンの通常の運転と区別可能な所定の回転パターンは、回転と停止の繰り返しであることを特徴とする請求項１または請求項２に記載の空気調和機。
【請求項４】
前記室外ファン区別運転手段による前記室外ファンの通常の運転と区別可能な所定の回転パターンは、高回転と低回転の交互回転であることを特徴とする請求項１または請求項２に記載の空気調和機。
【請求項５】
前記室外ユニットに複数の室外ファンを備え、前記室外ファン区別運転手段による前記室外ファンの通常の運転と区別可能な所定の回転パターンは、一部の室外ファンを運転し、他の室外ファンを停止させたことを特徴とする請求項１または請求項２に記載の空気調和機。
【請求項６】
冷媒配管にて接続されるとともに、相互に情報を通信する室内ユニットと室外ユニットとを有する空気調和機において、前記室内ユニットあるいは前記室外ユニットの異常を検出する異常検出手段と、前記異常検出手段により異常を検出した時に、異常内容に応じて前記室外ユニットの室外ファンを通常の運転と区別可能な所定の回転パターンで運転する室外ファン区別運転手段と、を設けたことを特徴とする空気調和機。
【請求項７】
冷媒配管にて接続されるとともに、相互に情報を通信する室内ユニットと室外ユニットとを有する空気調和機において、前記室内ユニットあるいは前記室外ユニットの異常を検出する異常検出手段と、前記異常検出手段により異常を検出した時に、異常内容を記憶する異常記憶手段と、前記室内ユニットあるいは前記室内ユニットに運転指令を与えるリモートコントローラに配置した点検指令信号を与える点検指令手段と、前記点検指令手段から点検指令信号を受信した時に、前記異常記憶手段で記憶した異常内容を読み出し、読み出した異常内容に応じて前記室外ユニットの室外ファンを通常の運転と区別可能な所定の回転パターンで運転する室外ファン区別運転手段と、を設けたことを特徴とする空気調和機。
【請求項８】
前記室外ファン区別運転手段による前記室外ファンの通常の運転と区別可能な所定の回転パターンは、回転数と時間とを組み合わせた複数の回転パターンであることを特徴とする請求項６または請求項７に記載の空気調和機。
【請求項９】
冷媒配管にて接続されるとともに、相互に情報を通信する室内ユニットと複数の室外ファンを有する室外ユニットとを備えた空気調和機において、前記室内ユニットおよび前記室外ユニットの異常を検出する異常検出手段と、前記異常検出手段により前記室外ユニットの異常を検出した時に、一部の前記室外ファンを通常の運転と区別可能な所定の回転パターンで運転し、かつ、前記異常検出手段により前記室内ユニットの異常を検出した時に、他の前記室外ファンを通常の運転と区別可能な所定の回転パターンで運転する室外ファン区別運転手段と、を設けたことを特徴とする空気調和機。
【請求項１０】
前記室外ファンを通常の運転と区別可能な所定の回転パターンで運転する前記室外ファン区別運転手段の動作を行うか、または行わせないかを切替えできる切替設定手段を設けたことを特徴とする請求項１ないし請求項９のいずれか１項に記載の空気調和機。
【請求項１１】
冷媒配管にて接続されるとともに、相互に情報を通信する室内ユニットと室外ユニットとを有する空気調和機の前記室内ユニットあるいは前記室外ユニットの異常を検出する異常検出ステップと、前記異常検出ステップで異常を検出した時に、前記室外ユニットの室外ファンを通常の運転と区別可能な所定の回転パターンで運転する室外ファン区別運転ステップと、を備えたことを特徴とする空気調和機の運転方法。
【請求項１２】
冷媒配管にて接続されるとともに、相互に情報を通信する室内ユニットと室外ユニットとを有する空気調和機の前記室内ユニットあるいは前記室外ユニットの異常を検出する異常検出ステップと、前記異常検出ステップにより異常を検出した時に、異常内容を記憶する異常記憶ステップと、前記室内ユニットあるいは前記室内ユニットに運転指令を与えるリモートコントローラに配置した点検指令手段から点検指令信号を受信した時に、前記異常記憶ステップで記憶した異常内容を読み出し、読み出した異常内容に応じて前記室外ユニットの室外ファンを通常の運転と区別可能な所定の回転パターンで運転する室外ファン区別運転ステップと、を備えたことを特徴とする空気調和機の運転方法。
【発明の詳細な説明】
【０００１】
【発明の属する技術分野】
この発明は空気調和機の異常時の運転制御に関するものである。
【０００２】
【従来の技術】
従来の空気調和機においては、室内ユニットの制御部が室内ユニットの異常を検出したとき、その異常情報を室外ユニットの制御部に転送し、この異常情報に対応する異常内容を室外ユニットの表示部（ＬＥＤ）に表示する。そして、室外ユニットは点検し易い場所に設置されており、表示部は通常、ケースに収納され、ケースの蓋を外すだけで点検可能になるので、室内ユニット等で発生した詳しい異常内容を容易に知ることができるようになる。
【０００３】
このようにして、室内ユニットの表示部にこの室内ユニットの異常内容が表示され、室外ユニットの表示部にこの装置全体の異常内容が表示され、リモコンの表示部にリモコンの異常内容と、どの部位に異常が発生したかというような機番等が表示されるようにしている。（例えば、特許文献１参照）
【０００４】
【特許文献１】
特開平２−１１８３５３号公報（第２−３頁、第２−３図）
【０００５】
【発明が解決しようとする課題】
従来の空気調和機は以上のように構成されているので、室外ユニットの異常内容の表示を見るためには室外ユニットのケースの蓋（パネル）を外して内部のＬＥＤ等の表示部を確認しなければならず、室外ユニットが１台であればすぐに目的の室外ユニットを見つけることができるが、ビル等の建物では複数台の空気調和機を備え、複数台の室外ユニットを、屋上等の屋外に集中的に設置される場合が多く、このように集中設置され、また室内ユニットと離れた位置に設置された室外ユニットの中から、異常が生じた１台の室外ユニットあるいは異常の生じた室内ユニットに接続された１台の室外ユニットを見つけるには、全ての室外ユニットのケースの蓋（パネル）を開けて、異常表示を確認する必要があり、修理等のサービスやメンテナンスを行う場合の作業効率が悪いという課題があった。
【０００６】
また、室外ユニットに異常を表示するＬＥＤ等の表示部を設ける必要があり、コストが高くなるという課題があった。
【０００７】
さらにまた、空気調和機の定期的なメンテナンスを行う場合等、特定の室内ユニットから離れた位置で特定の室内ユニットに接続された室外ユニットを見つけるのが難しいという課題があった。
【０００８】
【発明の目的】
この発明は、上記のような課題を解消するためになされたもので、空気調和機の異常が発生した室外ユニットあるいは、異常が発生した室内ユニットに接続された室外ユニットを、特別な部品を設けることなく安価に、かつ簡単に見つけ出すことができる空気調和機及びその運転方法を得ることを目的とする。
【０００９】
また、定期的なメンテナンス等の際に、目的の空気調和機の室外ユニットを、特別な部品を設けることなく安価に、かつ簡単に見つけ出すことができる空気調和機を得ることを目的とする。
【００１０】
【課題を解決するための手段】
この発明に係わる空気調和機は、冷媒配管にて接続されるとともに、相互に情報を通信する室内ユニットと室外ユニットとを有する空気調和機において、前記室内ユニットあるいは前記室外ユニットの異常を検出する異常検出手段と、前記異常検出手段により異常を検出した時に、前記室外ユニットの室外ファンを通常の運転と区別可能な所定の回転パターンで運転する室外ファン区別運転手段と、を設けたものである。
【００１１】
また、この発明に係わる空気調和機は、冷媒配管にて接続されるとともに、相互に情報を通信する室内ユニットと室外ユニットとを有する空気調和機において、前記室内ユニットあるいは前記室内ユニットに運転指令を与えるリモートコントローラに配置した点検指令信号を与える点検指令手段と、前記点検指令手段から点検指令信号を受信した時に、前記室外ユニットの室外ファンを通常の運転と区別可能な所定の回転パターンで運転する室外ファン区別運転手段と、を設けたものである。
【００１２】
また、この発明に係わる空気調和機は、冷媒配管にて接続されるとともに、相互に情報を通信する室内ユニットと室外ユニットとを有する空気調和機において、前記室内ユニットあるいは前記室外ユニットの異常を検出する異常検出手段と、前記異常検出手段により異常を検出した時に、異常内容に応じて前記室外ユニットの室外ファンを通常の運転と区別可能な所定の回転パターンで運転する室外ファン区別運転手段と、を設けたものである。
【００１３】
また、この発明に係わる空気調和機は、冷媒配管にて接続されるとともに、相互に情報を通信する室内ユニットと室外ユニットとを有する空気調和機において、前記室内ユニットあるいは前記室外ユニットの異常を検出する異常検出手段と、前記異常検出手段により異常を検出した時に、異常内容を記憶する異常記憶手段と、前記室内ユニットあるいは前記室内ユニットに運転指令を与えるリモートコントローラに配置した点検指令信号を与える点検指令手段と、前記点検指令手段から点検指令信号を受信した時に、前記異常記憶手段で記憶した異常内容を読み出し、読み出した異常内容に応じて前記室外ユニットの室外ファンを通常の運転と区別可能な所定の回転パターンで運転する室外ファン区別運転手段と、を設けたものである。
【００１４】
また、この発明に係わる空気調和機は、冷媒配管にて接続されるとともに、相互に情報を通信する室内ユニットと複数の室外ファンを有する室外ユニットとを備えた空気調和機において、前記室内ユニットおよび前記室外ユニットの異常を検出する異常検出手段と、前記異常検出手段により前記室外ユニットの異常を検出した時に、一部の前記室外ファンを通常の運転と区別可能な所定の回転パターンで運転し、かつ、前記異常検出手段により前記室内ユニットの異常を検出した時に、他の前記室外ファンを通常の運転と区別可能な所定の回転パターンで運転する室外ファン区別運転手段と、を設けたものである。
【００１５】
また、この発明に係わる空気調和機の運転方法は、冷媒配管にて接続されるとともに、相互に情報を通信する室内ユニットと室外ユニットとを有する空気調和機の前記室内ユニットあるいは前記室外ユニットの異常を検出する異常検出ステップと、前記異常検出ステップで異常を検出した時に、前記室外ユニットの室外ファンを通常の運転と区別可能な所定の回転パターンで運転する室外ファン区別運転ステップと、を備えたものである。
【００１６】
また、この発明に係わる空気調和機の運転方法は、冷媒配管にて接続されるとともに、相互に情報を通信する室内ユニットと室外ユニットとを有する空気調和機の前記室内ユニットあるいは前記室外ユニットの異常を検出する異常検出ステップと、前記異常検出ステップにより異常を検出した時に、異常内容を記憶する異常記憶ステップと、前記室内ユニットあるいは前記室内ユニットに運転指令を与えるリモートコントローラに配置した点検指令手段から点検指令信号を受信した時に、前記異常記憶ステップで記憶した異常内容を読み出し、読み出した異常内容に応じて前記室外ユニットの室外ファンを通常の運転と区別可能な所定の回転パターンで運転する室外ファン区別運転ステップと、を備えたものである。
【００１７】
【発明の実施の形態】
実施の形態１．
図１〜図４はこの発明の実施の形態１の空気調和機を示す図で、図１は空気調和機の全体構成図、図２はリモートコントローラの正面図、図３は空気調和機の冷媒回路図、図４は空気調和機の制御回路ブロック図である。図において、図１に示すように、空気調和機は室外ユニット１と室内ユニット２を備え、この室外ユニット１と室内ユニット２は冷媒配管３および、室内・室外接続用配線４によって接続されている。
【００１８】
リモートコントローラ５（以下リモコンと称す）は室内ユニット２および室外ユニット１に、運転のＯＮ／ＯＦＦ，冷房または暖房等の運転モードの切替え，被空調設定温度を設定する等の空調運転指令を与えるもので、リモコン用配線６により室内ユニット２に接続されている。前記室外ユニット１の内部には、回転させる室外ファンモータ７ａを備えた室外ファン７が設けられ、また、この室外ファン７前方の室外ユニット１前面にグリル８を設けている。なお、図１では室外ファン７をわかりやすく説明するため、グリル８を一部切り欠いた状態で示しているが、グリル８は室外ファン７の送風がスムーズに吹き出されるように、格子形状や網目状などで吹出口が形成されていて、一般的に、室外ユニット１の外側からグリル８の格子や網目越しに内部の室外ファン７を容易に見ることができる。
【００１９】
また、前記リモコン５は、図２に示すように、空調運転指令の入力および設定を与える各種ボタン等を備え、この実施の形態ではそれぞれ、空気調和機の運転または停止を操作する運転・停止ボタン５ａ、冷房または暖房モードを選択する運転切換ボタ５ｂ、所定時間後に運転を停止、または開始させる時間を設定するタイマボタン５ｃ、空調の風速を調節する風速調節ボタン５ｄ、空調の上下の風向を調節する上下風向ボタン５ｅ、被空調設定温度を選択する室温調節ボタン５ｆ、空調の左右の風向を調節するルーバーボタン５ｇ、点検動作の指令を与える点検ボタン５ｈ、試運転ボタン５ｊおよび各運転指令の情報等を表示する表示部５ｋ等を備えている。
【００２０】
次に、空気調和機の冷媒回路について説明する、図３に示すように、冷凍サイクルを圧縮機９、室外熱交換器１０、室内熱交換器１１を冷媒配管３で環状に接続して構成している。そして、室外熱交換機１０には外気を流通させる前記室外ファン７が設けられ、室内熱交換器１１には室内空気を流通させる室内ファン１２を設けている。四方弁１３は、冷房サイクルまたは暖房サイクルを切り換え、室内ユニット２を冷房または暖房運転ができるようにしている。冷凍サイクルには圧力が異常な状態で運転されないように保護するため、それぞれ、圧縮機９の吐出側に吐出圧力によって作動する高圧圧力スイッチ１４を、また、圧縮機９の吸入側に吸入圧力によって作動する低圧圧力スイッチ１５を設けている。
【００２１】
また、空気調和機の運転を制御するための入力情報源として、室外ユニット１側に外気の温度を検出する外気温度検出センサ１６と、圧縮機９の吐出冷媒の温度を検出するための吐出温度検出センサ１７及び、室内ユニット２側に被空調室温度（室温）を検出する室温検出センサ１８と、室内熱交換器１１の温度を検出する室内熱交換器温度検出センサ１９等を備えている。また、この他、冷凍サイクルには絞り弁２０、接続バルブ２１ａ，２１ｂ及びアキュムレータ２２とマフラー２３を備えている。
【００２２】
次に、この実施の形態の空気調和機の詳細な制御回路について説明する。図４に示すように、室外ユニット１と室内ユニット２にはそれぞれ各ユニット及び接続された他方のユニット等の運転制御を司る室外制御基板２４と、室内制御基板２５が設けられている。
【００２３】
まず室外ユニット１側から説明する。交流商用電源２６に、この交流電源を直流にするための整流回路２７が接続され、整流回路２７には直流平滑コンデンサ２８が接続されている。そして、圧縮機９は、直流平滑コンデンサ２８にて生成された直流電圧を圧縮機用インバータ回路２９により所望の交流電圧に変換し、印加することで運転される。
【００２４】
また、上記室外制御基板２４には様々な運転の制御を行う室外制御マイコン３０が搭載され、この室外制御マイコン３０はインバータ制御回路部３１を介して、圧縮機９の運転（ＰＷＭ）信号を圧縮機用インバータ回路２９に与えている。この圧縮機９には制御するための情報源の信号としての印加電流検出用の圧縮機電流センサ３２を設けていて、圧縮機電流センサ３２からの入力は、電流センサ変換回路３２ａにより室外制御マイコン３０が読取れる信号に変換され、電流センサ変換回路３２ａを介して室外制御マイコン３０に読み取られる。前記直流平滑コンデンサ２８も直流電圧検出回路２８ａを介して室外制御マイコン３０に接続され、直流平滑コンデンサ２８にて生成された直流電圧の値を、室外制御マイコン３０が読み取りできるようにしている。
【００２５】
前記圧縮機用インバータ回路２９には冷却するための放熱フィン３３を設けていて、この放熱フィン３３に温度を検出するための放熱フィンセンサ３４を備え、放熱フィンセンサ３４の検出温度は変換回路３４ａを介して、室外制御マイコン３０に取り込まれるようにしている。
【００２６】
また、この他、前記外気温度検出センサ１６の値等各種センサ類の値を室外制御マイコン３０が読み取り可能な信号に変換するため、外気温度検出センサ１６の変換回路１６ａ、吐出温度検出センサ１７の変換回路１７ａ、高圧圧力スイッチ１４の変換回路１４ａ、低圧圧力スイッチ１５の変換回路１５ａが室外制御基板２４に設けられている。
【００２７】
次に、室外ファン７を回転駆動させる制御構成部分について説明する。室外ファンモータ７ａ駆動用のインバータ回路３５と、このインバータ回路３５を駆動制御するためのファンモータ駆動マイコン３６とを備え、ファンモータ駆動マイコン３６は、通信回路３７を介して室外制御マイコン３０からの指令を受け、直流電圧をインバータ回路３５で所望の交流電圧に変換し、室外ファンモータ７ａに印加することで室外ファン７が運転されるようにしている。
【００２８】
また、室外ファンモータ７ａの運転動作を切替えるモータ動作切替スイッチ３８が室外制御基板２４に設けられ、このモータ動作切替スイッチ３８の設定内容は室外制御マイコン３０に取り込まれるようにしている。また、不揮発性メモリ３９が設けられて、室外制御マイコン３０より種々の情報の書き込みおよび読み出しが行われる。そして、室外制御基板２４と室内制御基板２５は、室内・室外通信用配線４にて接続されており、室外制御マイコン３０および室内ユニット２の制御を司る室内制御マイコン４０は、室外制御基板２４側に備えた通信回路４１ａおよび室内制御基板側２５側に備えた通信回路４１ｂを介して相互に通信を行い、種々の情報のやり取りを行う。
【００２９】
次に、室内制御基板２５側の構成について詳細に説明する。室内制御基板２５には室温検出センサ１８のデータを取り込む変換回路１８ａと室内熱交換器温度センサ１９の変換回路１９ａがそれぞれ設けられ、これら変換回路１８ａ，１９ａを介して、室内制御マイコン４０に室温及び室内熱交換器１１の温度が取り込まれる。また、室内制御基板２５にも室外制御基板２４と同様に不揮発性メモリ４２を設け、この不揮発性メモリ４２に室内制御マイコン４０から種々の情報の書き込みおよび読み出しが行われる。
【００３０】
また、前記リモコン５がリモコン用配線６により接続されるリモコン通信回路４３が設けられ、運転指令等のリモコン５の設定内容は、リモコン５内に備えたリモコン用マイコン（図示せず）がリモコン通信回路４３を介して、室内制御マイコン４０と相互に通信し、種々の情報のやり取りを行う。そして、室内制御マイコン４０は、リモコン５の設定内容に従い、ファン駆動回路部１２ａを介して、室内ファン１２の制御を行うと共に、リモコン５の設定内容に基づき、運転指令を室外制御マイコン３０に送信する。
【００３１】
次に、このように構成された空気調和機の通常の運転動作について説明する。例えばリモコン５により運転・停止ボタン５ａを押し、冷房運転の操作が行われると室内制御マイコン４０が室温検出センサ１８で検出した室温とリモコン５の室温調節ボタン５ｆで設定した設定温度との比較を行い、室温が高い場合には設定温度に調節するように室内制御マイコン４０および室外制御マイコン３０が、外気温度検出センサ１６、吐出温度検出センサ１７等の各種センサの値から最適な冷媒量を供給するように圧縮機９の運転等を制御している。
【００３２】
また、室外ファン７の一般的な通常の運転について説明する。上記のように空気調和機が運転されると、室外ファン７も室外ファンモータ７ａの駆動により回転し、室外熱交換器１０に外気を流通させて熱交換を促進させる。この実施の形態では、室外制御マイコン３０により、通信回路３７を介してファンモータ駆動マイコン３６に指令を与え、インバータ回路３５により最適な回転数で室外ファンモータ７ａを回転するように制御している。この実施の形態の一例としては、０ｒｐｍ（停止）〜７００ｒｐｍに回転数をほぼ無段階に調節可能な室外ファンモータ７ａを設けている。
【００３３】
そして、例えば室外ファン７の初期回転数は運転が開始された時の外気温度に応じて予め決められた回転数で運転し、以後、吐出温度検出センサ１７等の検出温度値が最適な目標温度に近づくように１分間隔で温度を検出しながら室外ファン７の回転数を調整するように運転している。このように運転されるため、通常は数分程度の短い期間で室外ファン７の回転数が大幅に変わったり、高回転と低回転や運転と停止が規則的に繰り返すようなことは殆ど有り得ない。また、この実施の形態のように室外ファン７の回転数を目的とする回転数にほぼ無段階に調節できるようなタイプではなく、例えば高回転／中回転／低回転等の数段階の回転数で調節するタイプの室外ファンであったとしても、同様に数分程度の短い期間で回転数が頻回に決まったパターンで変化することは殆ど無い。
【００３４】
このため、室外ファン７を数十秒から数分程度の短い間隔で、例えば運転／停止や高回転／低回転を規則的に繰り返す等の所定の回転パターンで運転を行うことで、通常の室外ファン７の運転とは異なることが容易に区別できる。図５はこの実施の形態１の室外ユニット１の設置例を説明する斜視図であるが、図に示すようにビルなどでは、室外ユニット１を室内ユニット２と離れたビルの屋上等の屋外に、他の室外ユニットとともに集中的に設置されるケースも多い。そして、、通常このように室外ユニット１はビルの屋上等の目立ちにくい場所に設置されるため、室内ユニット２に比べ意匠性を良くする必要性も少なく、また、通風性をよくするため、上記で説明したようにグリル８越しに容易に内部の室外ファン７を室外ユニット１の外側から視認することができ、室外ファン７を通常の運転と区別可能な所定の回転パターンで運転すれば、図５のように多くの室外ユニット１が並んだとしても、室外ユニット１を外側から見るだけで容易に目的の室外ユニット１を見つけ出すことができるわけである。
【００３５】
次に、この実施の形態の主要構成について説明する。図６はこの実施の形態１の空気調和機の主要部のブロック構成図である。異常検出手段４４は空気調和機の室内ユニット２あるいは室外ユニット１の異常を検出するもので、この実施の形態では図４に示すように室外ユニット１の異常検出は、室外制御基板２４に設けられた室外制御マイコン３０により、吐出温度検出センサ１７、高圧圧力スイッチ１４、低圧圧力スイッチ１５、圧縮機電流センサ３２、放熱フィンセンサ３４、直流電圧検出回路２８ａ等の各種センサ類からのデータを取り込み、異常なデータ値でないかを判断することにより行われるように構成している。また、室内ユニット２側の異常検出は、室内制御基板２５に設けられた室内制御マイコン４０により、室温検出センサ１８、室内熱交換器温度検出センサ１９等の各種センサ類からのデータやリモコン５との通信データを取り込み、異常なデータ値でないかを判断することにより行われている。
【００３６】
室外ファン区別運転手段４５は、異常検出手段４４（室外制御マイコン３０，室内制御マイコン４０など）で室内ユニット２あるいは室外ユニット１の異常を検出した時に、室外ファンモータ７ａを制御運転して室外ユニット１の室外ファン７を、通常の運転と区別可能な所定のパターンで運転するもので、この実施の形態では図４に示すように、室外制御マイコン３０により、通信回路３７を介してファンモータ駆動マイコン３６に指令を与え、インバータ回路３５を動作させることで、室外ファンモータ７ａを所定のパターンで回転するように構成している。
【００３７】
前記室外制御基板２４に設けたモータ動作切替スイッチ３８よりなる切替設定手段は、前記室外ファン区別運転手段４５による室外ファン７を通常の運転と区別可能な所定の回転パターンで運転する動作を行うか、または行わせないかを、選択できるようにし、他の空気調和機の室外ユニット台数が少なく、目的の室外ユニット１が容易に何処にあるか明らかな場合や、使用者の好みに応じて室外ファン区別運転手段４５の動作を行わせないこともできるように構成し、使い勝手を良くしている。
【００３８】
また、異常記憶手段４６は異常検出手段４４で検出した異常の内容を記憶しておくもので、この実施の形態では、図４に示す不揮発性メモリ３９および不揮発性メモリ４２により構成され、室外ユニット１側の異常内容は不揮発性メモリ３９に記憶され、室内ユニット２側の異常内容は不揮発性メモリ４２に記憶されるようにしている。
【００３９】
前記リモコン５の点検ボタン５ｈより成る点検指令手段は、点検司令信号を出力するもので、この点検指令信号がリモコン５から室内制御マイコン４０を介して室外制御マイコン３０に取り込まれ、点検司令信号を受信すると室外制御マイコン３０等により室外ファン区別運転手段４５は、室内ユニット２あるいは室外ユニット１の異常の有無にかかわらず室外ファン７を、通常の運転と区別可能な所定の回転パターンで運転するようにしている。
【００４０】
次に、上記のように構成されるこの実施の形態の空気調和機の具体的な動作について説明する。まず、室外ユニット１の異常時の動作について説明する。図７はこの発明の実施の形態１を示す空気調和機の室外ユニット異常時の動作を説明するフローチャートである。なお、このフローチャートのプログラムは室外制御マイコン３０のメモリ（図示せず）等に記憶され、室外制御マイコン３０等で実行される。図８はこの発明の実施の形態１を示す空気調和機の室外ユニット異常時の運転モード、圧縮機、室外ファン、リモコン操作の運転状態を説明するタイムチャートである。図８において、横軸は時間を表し、Ｔａ〜Ｔｄは主要な各時点で、ＴａからＴｄへと進行する。また、縦軸は運転モードの正常／異常、圧縮機の運転／停止、室外ファンの運転／停止、リモコン操作による運転／停止の状態を表している。
【００４１】
まず、図８のＴａ時点のようにリモコン５の運転・停止ボタン５ａを押して空気調和機が運転されると、室外制御マイコン３０及び室内制御マイコン４０が室内ユニット２を運転するとともに、室外ユニット１もステップ１０１にて圧縮機９および室外ファンモータ７ａの運転を開始する。
【００４２】
そして、異常検出手段４４によるステップ１０１〜ステップ１１０からなる室外ユニット１の異常検出ステップが行われる。ステップ１０２で吐出温度検出センサ１７の値を取り込む。次に、ステップ１０３にて高圧圧力スイッチ１４の作動状態を取り込む。次に、ステップ１０４にて低圧圧力スイッチ１５の作動状態を取り込む。次に、ステップ１０５にて圧縮機電流センサ３２の値を取り込む。次に、ステップ１０６にて放熱フィンセンサ３４の値を取り込む。次に、ステップ１０７にて直流平滑コンデンサ２８の電圧値を取り込む。このようにステップ１０２〜ステップ１０７にて室外制御マイコン３０に室外ユニット１を制御する情報源となる各種センサの値を取り込む。
【００４３】
次に、ステップ１０８にて、ステップ１０２〜ステップ１０７にて取り込んだ値が正常な値であるかを判定する。例えば、ステップ１０２の吐出温度検出センサ１７の検出値が０℃〜１４０℃の範囲外であれば異常と判断し、ステップ１０３で異常と判断される例えば５ＭＰａ以上で作動する高圧圧力スイッチ１４が作動していないか判断し、また、ステップ１０６で放熱フィンセンサ３４の検出値が異常と判断する例えば７５℃以上でないか判断する等、各データが正常な値かを判断する。なお、この各種異常と判断するデータ値は空気調和機の機種や能力等により異なる。
【００４４】
そして、ステップ１０８にて、ステップ１０２〜ステップ１０７にて取り込んだ値が正常な値である場合は、問題がないためステップ１０９にて運転継続と判断して、ステップ１０１へ戻り空気調和機の運転を継続する。
【００４５】
ステップ１０８にて、ステップ１０２〜ステップ１０７にて取り込んだ値の内、いずれか一つでも異常な値の場合は、ステップ１１０にて異常が生じた（異常モードである）と判断し、図８のＴｂ時点のようにステップ１１１にて圧縮機９および室外ファンモータ７ａを停止する。
【００４６】
次に、ステップ１１２〜ステップ１１７からなる室外ユニット１の室外ファン７を、通常の運転と区別可能な所定の回転パターンで運転する室外ファン区別運転手段４５による室外ファン区別運転ステップが行われる。まず、ステップ１１２にてモータ動作切替スイッチ（切替設定手段）３８の設定状態を取り込み、ステップ１１３にてステップ１１２にて取り込んだモータ動作切替スイッチ（切替設定手段）３８の設定状態を判定する。
【００４７】
ステップ１１３にて、モータ動作切替スイッチ（切替設定手段）３８の設定状態が「区別運転無し」の場合は、ステップ１１４にて室外ファンモータ７ａを停止のままとし、つまり室外ファン７を停止のままとする。
【００４８】
ステップ１１３にて、モータ動作切替スイッチ（切替設定手段）３８の設定状態が通常の「区別運転有り」の場合は、ステップ１１５にて室外ファンモータ７ａを３０秒間停止し、ステップ１１６にて室外ファンモータ７ａを３０秒間所定の回転数（Ｘ１）にて運転し、室外ファン７を回転させる。この実施の形態では回転数（Ｘ１）を４００ｒｐｍで回転させている。
【００４９】
そして、ステップ１１７でステップ１１０にて判断した異常モードが解除されたかを判断し、ステップ１１７にて、異常状態が解除されず異常モードが「継続」であると判断した場合は、ステップ１１２に戻り、ステップ１１５とステップ１１６を繰り返すことで、図８のＴｂ〜Ｔｃ間のように室外ファン７が３０秒間隔で４００ｒｐｍの回転数による運転と停止を繰り返すようにしている。なお、図８のＴｂ〜Ｔｃ間では回転と停止の繰り返しを２回分のみ示しているが、実際には異常が解除されるか、または、リモコン５の運転・停止ボタン５ａが押されて、空気調和機の運転が完全に停止されるまで、繰り返しこの室外ファン７の区別運転が行われる。
【００５０】
そして、ステップ１１７にて、異常が高負荷等の一時的な場合で、各種センサ類のデータが正常な値になり正常な状態に復帰した場合や、修理サービス等が完了し、リモコン５の運転・停止ボタン５ａが再び押されると異常モードが解除され、異常モードが「解除」であると判断し、図８のＴｃ時点でステップ１１８にて室外ファンモータ７ａを停止して室外ファン７を止める。そして、空気調和機の運転が再び可能となる運転スタンバイの状態に移行し、次の運転（図８のＴｄ時点）を待つ。
【００５１】
このように、室外ユニット１が異常になった際に自動的に室外ファン７を通常の運転と区別可能な所定の回転パターン（回転／停止）で運転したので、図５に示すように多くの室外ユニットが配置されていても故障した室外ユニット１を見つけるため、従来のように、多くの室外ユニットのパネル（図示せず）を順次開けて内部の表示を見て行く作業をしなくても、室外ユニットを外側から見て、通常の運転とは異なる所定の回転パターンで回転している室外ファン７の室外ユニット１を見つけるだけで、簡単に目的の室外ユニット１を見つけることができ、修理サービスやメンテナンスを容易にできるようになる。
【００５２】
また、室外ファン７は通常の運転と区別可能な所定の回転パターンを見ることにより容易に判断できるが、回転パターンにより送風音も通常の運転時とは変化し、また、送風量も変化するため、送風量の変化は室外ユニット１の前方に来れば肌等でも感じることができ、目だけでなく、耳や肌でも通常の運転と異なることが判別可能で、室外ファン７により通常の運転と区別することは非常に容易く、異常を表すのに適している。
【００５３】
このように、室外ユニット１の室外ファン７は、室内ユニット２のように意匠性の都合上なるべくファンを見えないように配慮し、また、天井等に配置されてさらに見ることが難しい室内ユニット２のファン（図示せず）のようなものに比べ、ビルの屋上等に設置されて意匠性をあまり気にする必要もなく、羽根の径も大きくて見やすいものである。このため、他の室外ユニットが同時に運転されていても、送風音の変化では区別ででき難くなるが、上記のように、通常の室外ファン７の運転と区別可能な所定の回転パターンで運転し、一目で区別できるので、他の室外ユニットを全て停止しなければ目的の室外ユニット１を見つけ出すことができないということも無く、容易に見つけ出すことができるわけである。
【００５４】
また、さらに、室外ファン７により目的の室外ユニット１を見つけられるようにすることが良い点は、室外ファンモータ７ａを備えた室外ファン７は元から室外ユニット１に備えられた部品のため新たに部品を設ける必要がなく、室外制御マイコン３０等のプログラムを変更するだけなので、安価に機能が得られるわけである。例えば、部品を追加して室外ユニット１の外部にランプ等の表示を設ける場合、追加部品の費用が必要で、また、特に室外ユニット１が一般的に屋外に設置されるため、雨等の耐候性が必要な高価な部品が必要になり、また、追加されたランプ等の部品自体が故障する可能性もあり、故障する確率が増すことになる。この点、元から室外ユニット１に備えられた室外ファン７（室外ファンモータ７ａを含む）は元から耐候性を考慮して設けられているため、耐候性についても問題が無く、部品を追加しないので、故障する確率が増すこともない。
【００５５】
さらにまた、室外ユニット１の故障の中で多いケースは圧縮機９等の冷凍サイクルに関する故障であり、室外ファンモータ７ａを含む室外ファン７が故障することは一般的に殆ど無く、この点からも室外ファン７で異常の生じた目的の室外ユニット１を見つけられるようにすることは効果が大きい。また、室内ユニット２に比べ室外ユニット１の方が故障するケースが多く、異常の室外ユニット１を見つけられることは効果が大きい。
【００５６】
また、上記の室外ユニット１の異常時には室外ファン７の区別運転のパターンをＯＮ／ＯＦＦだけにして、つまり、室外ファン区別運転手段４５による室外ファン７の通常の運転と区別可能な所定の回転パターンを、回転と停止の繰り返しとしたので、室外ファン７の制御が簡単である。
【００５７】
次に、この実施の形態の空気調和機の室内ユニット２異常時の動作について説明する。図９はこの発明の実施の形態１を示す室内ユニット異常時の動作を説明するフローチャートである。なお、このフローチャートのプログラムは室外制御マイコン３０や室内制御マイコン４０のメモリ（図示せず）等に記憶され、室外制御マイコン３０や室内制御マイコン４０等で実行される。図１０はこの発明の実施の形態１を示す室内ユニット異常時の運転モード、圧縮機、室外ファン、リモコン操作の運転状態を説明するタイムチャートである。図１０において、横軸は時間を表し、Ｔａ〜Ｔｄは主要な各時点で、ＴａからＴｄへと進行する。また、縦軸は室内ユニット運転モードの正常／異常、圧縮機の運転／停止、室外ファンの運転／停止、リモコン操作による運転／停止の状態を表している。
【００５８】
まず、上記の室外ユニット１側で説明したように図１０のＴａ時点でリモコン５の運転・停止ボタン５ａを押して空気調和機が運転されると、室外制御マイコン３０及び室内制御マイコン４０が室内ユニット２を運転するとともに、室外ユニット１もステップ１０１にて圧縮機９および室外ファンモータ７ａの運転を開始する。
【００５９】
そして、異常検出手段４４により、ステップ１０１及びステップ２０２〜２０７からなる室内ユニット２の異常検出ステップが行われる。ステップ２０２で室温検出センサ１８の値を取り込む。次に、ステップ２０３にて室内熱交換器温度検出センサ１９の値を取り込む。次に、ステップ２０４にてリモコン５との通信が正常かをチェックする。このようにステップ２０２〜ステップ２０４にて室内制御マイコン４０に室内ユニット２及び室外ユニット１を制御する情報源となる各種センサ等の値を取り込む。
【００６０】
次に、ステップ２０５にて、ステップ２０２〜ステップ２０４にて取り込んだ値が正常な値であるかを判定する。例えば、ステップ２０３の室内熱交換器温度検出センサ１９の検出値が−３０℃〜８０℃の範囲外であれば異常と判断する等、各データが正常な値かを判断する。なお、この各種異常と判断するデータ値は空気調和機の機種や能力等により異なる。
【００６１】
そして、ステップ２０５にて、ステップ２０２〜ステップ２０４にて取り込んだ値が正常な値である場合は、問題がないためステップ２０６にて運転継続と判断して、ステップ１０１へ戻り空気調和機の運転を継続する。
【００６２】
ステップ２０５にて、ステップ２０２〜ステップ２０４にて取り込んだ値の内、いずれか一つでも異常な値の場合は、ステップ２０７で室内ユニット２にて異常が生じた（異常モードである）と判断し、ステップ２０８にて、室内制御マイコン４０は通信回路４１ａおよび４１ｂを介して、室外制御マイコン３０に異常モードとなったことを送信する。室外制御マイコン３０は、ステップ２０８にて室内制御マイコン４０から異常モードとなったことを取り込んだ結果、図１０のＴｂ時点のように、ステップ２０９にて、圧縮機９および室外ファンモータ７ａを停止する。
【００６３】
次に、室外ユニット１の異常時と同様に、ステップ２１０〜ステップ２１５からなる室外ユニット１の室外ファン７を、通常の運転とは区別可能な所定の回転パターンで運転する室外ファン区別運転手段４５による室外ファン区別運転ステップが行われる。まず、ステップ２１０にてモータ動作切替スイッチ（切替設定手段）３８の設定状態を取り込み、ステップ２１１にてステップ２１０にて取り込んだモータ動作切替スイッチ（切替設定手段）３８の設定状態を判定する。
【００６４】
ステップ２１１にて、モータ動作切替スイッチ（切替設定手段）３８の設定状態が「区別運転無し」の場合は、ステップ２１２にて室外ファンモータ７ａを停止のままとし、つまり室外ファン７を停止のままとする。
【００６５】
ステップ２１１にて、モータ動作切替スイッチ（切替設定手段）３８の設定状態が通常の「区別運転有り」の場合は、ステップ２１３にて室外ファンモータ７ａをある所定の時間（Ｔ１）に所定の回転数（Ｘ２）にて運転し、ステップ２１４にて室外ファンモータ７ａをある所定の時間（Ｔ２）に所定の回転数（Ｘ３）にて運転する。この実施の形態では所定の時間（Ｔ１）を１０秒間、所定の回転数（Ｘ１）を１００ｒｐｍの低回転とし、所定の時間（Ｔ２）を６０秒間、所定の回転数（Ｘ２）を３００ｒｐｍとして（Ｘ１）より高回転で回転させている。
【００６６】
そして、ステップ２１５にてステップ２０７で判断した異常モードが解除されたかを判断し、ステップ２１５にて、異常状態が解除されず異常モードが「継続」であると判断した場合は、ステップ２１０に戻り、ステップ２１３とステップ２１４を繰り返すことで、図１０のＴｂ〜Ｔｃ間のように室外ファン７が１０秒間１００ｒｐｍの回転数と、６０秒間３００ｒｐｍの回転数による高回転と低回転の交互回転の運転を繰り返すようにしている。なお、図１０のＴｂ〜Ｔｃ間では交互運転の繰り返しを２回分のみ示しているが、実際には異常が解除されるか、または、リモコン５の運転・停止ボタン５ａが押されて、空気調和機の運転を完全に停止されるまで、繰り返しこの室外ファン７の区別運転が行われる。
【００６７】
そして、ステップ２１５にて、異常が高負荷等の一時的な場合で、各種センサ類のデータが正常な値になり正常な状態に復帰した場合や、修理サービス等が完了し、リモコン５の運転・停止ボタン５ａが再び押されると異常モードが解除され、異常モードが「解除」であると判断し、ステップ２１６にて、室内制御マイコン４０は通信回路４１ａおよび４１ｂを介して、室外制御マイコン３０に異常モードが解除されたことを送信する。室外制御マイコン３０は、ステップ２１６にて室内制御マイコン４０から、異常モードが解除されたことを取り込んだ結果、図１０のＴｃ時点でステップ２１７にて室外ファンモータ７ａを停止して室外ファン７を止める。そして、空気調和機の運転が再び可能となる運転スタンバイの状態に移行し、次の運転（図１０のＴｄ時点）を待つ。
【００６８】
このように、室外ユニット１の異常時だけでなく、室内ユニット２の異常の際にも同様に室外ユニット１の室外ファン７を通常の運転とは区別可能な所定の回転パターンで運転するので、異常の生じた室内ユニット２と離れて接続された室外ユニット１を同様にすぐに見つけることができ、空気調和機のメンテナンスを容易にできる効果がある。一般的に室内ユニット２の修理サービスやメンテナンスをする場合であっても室外ユニット１側の調整等の点検を行うケースも多く、室内ユニット２の異常の際に、室外ユニット１を見つけやすくすることは、修理サービスやメンテナンスを容易にできる効果がある。
【００６９】
このように、冷媒配管３にて接続されるとともに、相互に情報を通信する室内ユニット２と室外ユニット１とを有する空気調和機において、室内ユニット２あるいは室外ユニット１の異常を検出する異常検出手段４４と、異常検出手段４４により異常を検出した時に、室外ユニット２の室外ファン７を通常の運転と区別可能な所定の回転パターンで運転する室外ファン区別運転手段４５と、を設けたので、空気調和機の異常が生じた室外ユニット１あるいは異常の生じた室内ユニット２に接続された室外ユニット１を、特別な部品を設けることなく安価に、かつ簡単に見つけ出すことができる効果があり、修理サービスやメンテナンスを容易にできるようになる。
【００７０】
また、上記の室外ユニット１の異常時には室外ファン７の区別運転の回転パターンをＯＮ／ＯＦＦ（回転／停止）だけにして、制御が簡単なものを示したが、室内ユニット２の異常時に区別運転のパターンを高回転と低回転の交互回転にしている。このため、室外ユニット１と室内ユニット２のどちらが異常になったのかも室外ファン７の回転パターンにより判別できるようにしている。
【００７１】
また、室外ファン７が停止している際に、気候により強い風が吹くと、風により室外ファン７が回転する場合があり、特に室外ファン７が逆回転すると、室外ファン７を回転駆動させる時、通常より多くの起電力が必要になる場合や、回転パターンが安定しない場合が稀に生じる可能性が有る。このような場合、室外ファン７は回転と停止を繰り返すパターンよりも、高回転と低回転の繰り返しで運転するパターンの方が、回転数が制御されるので、安定した回転パターンが得られる。
【００７２】
つまり、室外ファン区別運転手段４５による室外ファン７の通常の運転と区別可能な所定の回転パターンは、高回転と低回転の交互回転としたので、安定した所定の回転パターンが得られるという効果がある。
【００７３】
また冷媒配管３にて接続されるとともに、相互に情報を通信する室内ユニット２と室外ユニット１とを有する空気調和機の室内ユニット２あるいは室外ユニット１の異常を検出する異常検出ステップと、異常検出ステップで異常を検出した時に、室外ユニット１の室外ファン７を通常の運転と区別可能な所定の回転パターンで運転する室外ファン区別運転ステップと、を備えたので、簡単な制御で、空気調和機の異常が生じた室外ユニット１あるいは異常が生じた室内ユニット２に接続された室外ユニット１を、特別な部品を追加することなく安価に、かつ簡単に見つけ出すことができる効果があり、修理サービスやメンテナンスを容易にできるようになる。
【００７４】
次に、この実施の形態の空気調和機の点検ボタン（点検司令手段）５ｈから司令があった時の動作について説明する。図１１はこの発明の実施の形態１を示す空気調和機の点検司令手段による動作を説明するフローチャートである。なお、このフローチャートのプログラムは室外制御マイコン３０や室内制御マイコン４０のメモリ（図示せず）等に記憶され、室外制御マイコン３０や室内制御マイコン４０等で実行される。図１２はこの発明の実施の形態１を示す空気調和機の点検司令手段による室外ファン、リモコン点検ボタン（点検司令手段）の状態を説明するタイムチャートである。図１２において、横軸は時間を表し、Ｔｇ〜Ｔｈは点検ボタン５ｈのＯＮ〜ＯＦＦ時点で、ＴｇからＴｈへと進行する。また、縦軸は室外ファンの運転／停止、リモコン操作による点検ボタン（点検司令手段）５ｈのＯＮ／ＯＦＦの状態を表している。
【００７５】
まず、図１２のＴｇ時点でリモコン５の点検ボタン（点検司令手段）５ｈがＯＮされると、ステップ３０１にてリモコン用マイコン（図示せず）が室内制御マイコン４０に点検ボタン（点検司令手段）５ｈがＯＮされたことを送信する。次に、ステップ３０２にて、室内制御マイコン４０は室外制御マイコン３０に点検モードが開始されたことを送信する。
【００７６】
そして、ステップ３０３〜ステップ３０８からなる室外ユニット１の室外ファン７を、通常の運転と区別可能な所定の回転パターンで運転する室外ファン区別運転手段４５による室外ファン区別運転ステップが行われる。まず、ステップ３０３にてモータ動作切替スイッチ（切替設定手段）３８の設定状態を取り込み、ステップ３０４にてステップ３０３で取り込んだモータ動作切替スイッチ（切替設定手段）３８の設定状態を判定する。
【００７７】
ステップ３０４にて、モータ動作切替スイッチ（切替設定手段）３８の設定状態が「区別運転無し」の場合は、ステップ３０５にて室外ファンモータ７ａを停止し、室外ファン７を停止のままとする。
【００７８】
ステップ３０４にて、モータ動作切替スイッチ（切替設定手段）３８の設定状態が通常の「区別運転有り」の場合は、ステップ３０６にて室外ファンモータ７ａをある所定の時間（Ｔ３）に所定の回転数（Ｘ４）にて運転し、ステップ３０７にて室外ファンモータ７ａをある所定の時間（Ｔ４）に所定の回転数（Ｘ５）にて運転する。この実施の形態では所定の時間（Ｔ３）を３０秒間、所定の回転数（Ｘ４）を０ｒｐｍ（停止）とし、所定の時間（Ｔ４）を３０秒間、所定の回転数（Ｘ５）を４００ｒｐｍとして回転させている。
【００７９】
そして、ステップ３０８にてリモコン５のリモコン用マイコンは点検ボタン（点検司令手段）５ｈがＯＦＦとなったかを判断する。ステップ３０８にて、点検ボタンがＯＦＦではないと判断した場合は、ステップ３０３に戻る。ステップ３０６とステップ３０７を繰り返すことで、図１２のＴｇ〜Ｔｈ間のように室外ファン７が３０秒間停止し、３０秒間４００ｒｐｍの回転数による運転／停止の交互運転を繰り返すようにしている。なお、図１２のＴｇ〜Ｔｈ間では繰り返しを２回分のみ示しているが、実際にはリモコン５の点検ボタン（点検司令手段）５ｈが再び押されるまで、繰り返し室外ファン７の区別運転が行われる。
【００８０】
ステップ３０８にて、空気調和機のサービスやメンテナンス（点検）が完了し、点検ボタン（点検司令手段）５ｈが再び押されてＯＦＦであると判断した場合は、ステップ３０９にてリモコン用マイコンは室内制御マイコン４０に点検ボタン（点検司令手段）がＯＦＦされたことを送信する。次に、ステップ３１０にて、室内制御マイコン４０は室外制御マイコン３０に点検モードが解除されたことを送信する。次に、ステップ３１１にて室外ファンモータ７ａを停止し、室外ファン７の区別運転動作を終了して、空気調和機の運転が再び可能となる運転スタンバイの状態に移行し、次の運転（図１２のＴｈ時点）を待つ。
【００８１】
そして、点検ボタン（点検司令手段）５ｈにより、異常の有無にかかわらず、室外ファン７を通常の運転と区別可能な所定の回転パターンで運転するので、室内ユニット２に離れて接続された室外ユニット１をすぐに見つけられるので、定期的なメンテナンスや、異常ではないものの室内ユニット２の調子がよくなく、点検してほしい等の要求があった場合であっても目的とする室外ユニット１を簡単に見つけることができ、メンテナンスを容易にできる効果がある。
【００８２】
なお、この実施の形態では点検ボタン（点検指令手段）５ｈをリモコン５に設けたものを示したが、室内ユニット２に点検ボタン（点検指令手段）５ｈを設けてもよく同様の効果を得られる。また、点検ボタン（点検指令手段）５ｈを専用のボタンを設けたものを示したが、他の機能のボタンを２個同時に押す（例えばタイマボタン５ｃと風速調節ボタン５ｄを同時に押す等）と点検指令手段の機能が働くようにしてもよく、また、ボタンではなくスライド式のスイッチであってもよい等、どのような入力形式でもよい。
【００８３】
このように、冷媒配管３にて接続されるとともに、相互に情報を通信する室内ユニット２と室外ユニット１とを有する空気調和機において、室内ユニット２あるいは室内ユニット２に運転指令を与えるリモートコントローラ５に配置した点検指令信号を与える点検ボタン（点検指令手段）５ｈと、点検ボタン（点検指令手段）５ｈから点検指令信号を受信した時に、室外ユニット１の室外ファン７を通常の運転と区別可能な所定の回転パターンで運転する室外ファン区別運転手段４５と、を設けたので、定期的なメンテナンスの等の際に、室内ユニット２と離れた位置に接続された目的の空気調和機の室外ユニット１を、特別な部品を設けることなく安価に、かつ簡単に見つけ出すことができる効果があり、メンテナンスを容易にできるようになる。
【００８４】
また、室外ユニット１の異常、室内ユニット２の異常の場合も同様であるが、室外ファン７を通常の運転と区別可能な所定の回転パターンで運転する室外ファン区別運転手段４５の動作を行うか、または行わせないかを切替えできるモータ動作切替スイッチ（切替設定手段）３８を設けているので、室外ファン区別運転手段４５の動作を行わせないようにすると、多くの室外ユニット１の中から、または室内ユニット２に離れた位置で接続された目的の室外ユニット１を見つけられる効果はなくなるが、室外ユニット１の設置台数が少なく明らかに目的の室外ユニット１が見つられる場合等は、室外ファン７を通常の運転と区別可能な所定のパターンで運転する必要性が少なく、また、使用者の好みに応じて動作を行わせるか、または行わせないかを選択できるようにすることで、使い勝手のよい空気調和機が得られる効果がある。
【００８５】
また、モータ動作切替スイッチ（切替設定手段）３８を室外制御基板２４に設けたものを示したが、室外ユニット１内の他の場所やリモコン５に設けるなど、空気調和機のどの位置に設けてもよい。なお、この実施の形態１ではモータ動作切替スイッチ（切替設定手段）３８を室外ユニット１に設けているので、区別運転を行っている目的の室外ユニット１を見つけてから、このモータ動作切替スイッチ（切替設定手段）３８を、区別運転を行わせない側に設定すれば、リモコン５の所まで戻りリモコン５を操作しなくても室外ファン７の回転を止めることが可能になるので、修理サービスやメンテナンスの際にさらに作業を行いやすくできるという効果もある。
【００８６】
なお、この実施の形態１では室外ユニット１の異常時あるいは室内ユニット２の異常時および点検ボタン（点検指令手段）５ｈの実行時に、それぞれ室外ファン区別運転手段４５により室外ファン７を区別運転し、使い勝手のよい空気調和機を示したが、室外ユニット１の異常時にのみ室外ファン７の区別運転を行うものや、室内ユニット２の異常時にのみ室外ファン７の区別運転を行うものであっても良く、個々の効果は同様に得られる。
【００８７】
実施の形態２．
図１３，図１４はこの発明の実施の形態２の空気調和機を示す図で、図１３は室外ユニット異常時の動作を説明するフローチャートである。なお、このフローチャートのプログラムは室外制御マイコン３０のメモリ（図示せず）等に記憶され、室外制御マイコン３０等で実行される。図１４は室外ユニット異常時の運転モード、圧縮機、室外ファン、リモコン操作の運転状態を説明するタイムチャートである。図１４において、横軸は時間を表し、Ｔａ〜Ｔｄは主要な各時点で、ＴａからＴｄへと進行する。また、縦軸は運転モードの正常／異常、圧縮機の運転／停止、室外ファンの運転／停止、リモコン操作による運転／停止の状態を表している。
【００８８】
なお、上記実施の形態１と同一部分及び同一ステップまたは相当部分および相当ステップには同一符号を付し、詳細な説明は省略する。また、記載以外の構造と動作は上記実施の形態１と同一である。上記実施の形態１では図７，図８の説明で室外ユニット１異常時の室外ファン区別運転手段４５による所定の回転パターンを、３０秒間隔で回転と停止を繰り返す間欠運転を行うものを示したが、高回転と低回転の交互回転としてもよい。
【００８９】
まず、図１４のＴａ時点のようにリモコン５の運転・停止ボタン５ａを押して空気調和機が運転されると、室外制御マイコン３０及び室内制御マイコン４０が室内ユニット２を運転するとともに、室外ユニット１もステップ１０１にて圧縮機９および室外ファンモータ７ａの運転を開始する。
【００９０】
そして、異常検出手段４４によるステップ１０１〜ステップ１１０からなる室外ユニット１の異常検出ステップと、図１４のＴｂ時点で圧縮機９および室外ファンモータ７ａを停止するステップ１１１が行われるが、これらは上記実施の形態１の図７で説明のステップと同一であり、説明を省略する。
【００９１】
次に、ステップ１１２〜ステップ１１４及びステップ４１５〜ステップ４１７からなる室外ユニット１の室外ファン７を、通常の運転とは区別可能な所定の回転パターンで運転する室外ファン区別運転手段４５による室外ファン区別運転ステップが行われる。まず、ステップ１１２にてモータ動作切替スイッチ（切替設定手段）３８の設定状態を取り込み、ステップ１１３にてステップ１１２にて取り込んだモータ動作切替スイッチ（切替設定手段）３８の設定状態を判定する。
【００９２】
ステップ１１３にて、モータ動作切替スイッチ（切替設定手段）３８の設定状態が「区別運転無し」の場合は、ステップ１１４にて室外ファンモータ７ａを停止のままとし、つまり室外ファン７を停止のままとする。
【００９３】
ステップ１１３にて、モータ動作切替スイッチ（切替設定手段）３８の設定状態が通常の「区別運転有り」の場合は、ステップ４１５にて室外ファンモータ７ａを３０秒間所定の回転数（Ｘ６）にて運転し、ステップ４１６にて室外ファンモータ７ａを３０秒間所定の回転数（Ｘ７）にて運転し室外ファン７を回転させる。この実施の形態では回転数（Ｘ６）を１００ｒｐｍで回転させ、（Ｘ７）を５００ｒｐｍとし、（Ｘ７）を（Ｘ６）より高回転で回転させている。
【００９４】
そして、ステップ４１７でステップ１１０にて判断した異常モードが解除されたかを判断し、ステップ４１７にて、異常状態が解除されず異常モードが「継続」であると判断した場合は、ステップ１１２に戻り、ステップ４１５とステップ４１６を繰り返すことで、図１４のＴｂ〜Ｔｃ間のように室外ファン７が、３０秒間隔で１００ｒｐｍと５００ｒｐｍの回転数による高回転と低回転の交互回転で運転するようにしている。なお、図１４のＴｂ〜Ｔｃ間では交互回転の繰り返しを２回分のみ示しているが、実際には異常が解除されるか、または、リモコン５の運転・停止ボタン５ａが押されて、空気調和機の運転を完全に停止させるまで、繰り返し室外ファン７のこの区別運転が行われる。
【００９５】
そして、ステップ４１７にて、異常が高負荷等の一時的な場合で、各種センサ類のデータが正常な値になり正常な状態に復帰した場合や、修理サービス等が完了し、リモコン５の運転・停止ボタン５ａが再び押されると異常モードが解除され、異常モードが「解除」であると判断し、図１４のＴｃ時点でステップ４１８にて室外ファンモータ７ａを停止して室外ファン７を止める。そして、空気調和機の運転が再び可能となる運転スタンバイの状態に移行し、次の運転（図１４のＴｄ時点）を待つ。
【００９６】
このように、室外ユニット１の異常時に、室外ファン区別運転手段４５による室外ファン７の通常の運転と区別可能な所定の回転パターンを、上記実施の形態１の室内ユニット２異常時と同様に、高回転と低回転の交互回転にしているので、安定した所定の回転パターンが得られる効果がある。なお、記載以外の他の効果も上記実施の形態１と同様の効果が得られる。
【００９７】
実施の形態３．
図１５，図１６はこの発明の実施の形態３の空気調和機を示す図で、図１５は室外ユニット異常時の動作を説明するフローチャートである。なお、このフローチャートのプログラムは室外制御マイコン３０のメモリ（図示せず）等に記憶され、室外制御マイコン３０等で実行される。図１６は室外ユニット異常時の運転モード、圧縮機、室外ファン、リモコン操作の運転状態を説明するタイムチャートである。図１６において、横軸は時間を表し、Ｔａ〜Ｔｄは主要な各時点で、ＴａからＴｄへと進行する。また、縦軸は運転モードの正常／異常、圧縮機の運転／停止、室外ファンの運転／停止、リモコン操作による運転／停止の状態を表している。
【００９８】
なお、上記実施の形態１〜２と同一部分および同一ステップまたは相当部分および相当ステップには同一符号を付し、詳細な説明は省略する。また、記載以外の構造と動作は上記実施の形態１〜２と同一である。実施の形態１では図７，図８の説明にて室外ユニット１異常時の室外ファン区別運転手段４５による所定の回転パターンを、３０秒間隔で運転と停止を繰返すものを示し、実施の形態２では図１３，図１４の説明にて所定の回転パターンを、３０秒間隔の高回転と低回転の交互回転としたものを示したが、回転数の変更とともに時間を変えてもよい。
【００９９】
まず、図１６のＴａ時点のようにリモコン５の運転・停止ボタン５ａを押して空気調和機が運転されると、室外制御マイコン３０及び室内制御マイコン４０が室内ユニット２を運転するとともに、室外ユニット１もステップ１０１にて圧縮機９および室外ファンモータ７ａの運転を開始する。
【０１００】
そして、異常検出手段４４によるステップ１０１〜ステップ１１０からなる室外ユニット１の異常検出ステップと、図１６のＴｂ時点で圧縮機９および室外ファンモータ７ａを停止するステップ１１１が行われるが、これらのステップは上記実施の形態１の図７および実施の形態２の図１４で説明のステップと同一であり、説明を省略する。
【０１０１】
次に、ステップ１１２〜ステップ１１４及びステップ５１５〜ステップ５１７からなる室外ユニット１の室外ファン７を、通常の運転と区別可能な所定の回転パターンで運転する室外ファン区別運転手段４５による室外ファン区別運転ステップが行われる。まず、ステップ１１２にてモータ動作切替スイッチ（切替設定手段）３８の設定状態を取り込み、ステップ１１３でステップ１１２にて取り込んだモータ動作切替スイッチ（切替設定手段）３８の設定状態を判定する。
【０１０２】
ステップ１１３にて、モータ動作切替スイッチ（切替設定手段）３８の設定状態が「区別運転無し」の場合は、ステップ１１４にて室外ファンモータ７ａを停止のままとし、つまり室外ファン７を停止のままとする。
【０１０３】
ステップ１１３にて、モータ動作切替スイッチ（切替設定手段）３８の設定状態が通常の「区別運転有り」の場合は、ステップ５１５にて室外ファンモータ７ａをある所定の時間（Ｔ５）に所定の回転数（Ｘ８）にて運転し、ステップ５１６にて室外ファンモータ７ａを所定の時間（Ｔ６）に回転数（Ｘ９）にて運転し室外ファン７を回転させる。この実施の形態では一例として所定の時間（Ｔ５）を１０秒間、所定の回転数（Ｘ８）を１００ｒｐｍの低回転とし、所定の時間（Ｔ６）を３０秒（Ｘ９）を３００ｒｐｍとし、（Ｘ９）を（Ｘ８）より高回転で回転させている。
【０１０４】
そして、ステップ５１７でステップ１１０にて判断した異常モードが解除されたかを判断し、ステップ５１７にて、異常状態が解除されず異常モードが「継続」であると判断した場合は、ステップ１１２に戻り、ステップ５１５とステップ５１６を繰り返すことで、図１６のＴｂ〜Ｔｃ間のように室外ファン７が１０秒間１００ｒｐｍの回転数と、３０秒間３００ｒｐｍの回転数による高回転と低回転の交互回転で運転するようにしている。なお、図１６のＴｂ〜Ｔｃ間では交互回転の繰り返しを２回分のみ示しているが、実際には異常が解除されるか、または、リモコン５の運転・停止ボタン５ａが押されて、空気調和機の運転を完全に停止されるまで、繰り返し室外ファン７のこの区別運転が行われる。
【０１０５】
そして、ステップ５１７にて、異常が高負荷等の一時的な場合で、各種センサ類のデータが正常な値になり正常な状態に復帰した場合や、修理サービス等が完了し、リモコン５の運転・停止ボタン５ａが再び押されると異常モードが解除され、異常モードが「解除」であると判断し、図１６のＴｃ時点でステップ５１８にて室外ファンモータ７ａを停止して室外ファン７を止める。そして、空気調和機の運転が再び可能となる運転スタンバイの状態に移行し、次の運転（図１６のＴｄ時点）を待つ。
【０１０６】
このように、室外ユニット１の異常時に、室外ファン区別運転手段４５による室外ファン７の通常の運転と区別可能な所定の回転パターンを、上記実施の形態１の室内ユニット２異常時、および実施の形態２の室外ユニット１異常時と同様に、高回転と低回転の交互回転にしているので、上記実施の形態と同様に、室外ファン７を運転と停止を繰り返すように運転するよりも、高回転と低回転の繰り返しで運転する方が僅かであるが、安定した所定の回転パターンを得られるという効果がある。また交互回転の時間も交互に変えているので、さらに区別可能な多くの所定の回転パターンを設定できるという効果もある。なお、記載以外の他の効果も上記実施の形態１および２と同様の効果が得られる。
【０１０７】
実施の形態４．
上記実施の形態１〜３では室外ユニット１の異常時と、室内ユニット２の異常時および点検ボタン（点検司令手段）５ｈを押した時に、室外ファン区別運転手段４５により、それぞれ１種類のパターンで室外ファン７を運転し、目的とする室外ユニットを容易に見つけられるようにしたものを示したが、室外ファン７を通常の運転と区別可能な回転パターンを室外ユニット１あるいは室内ユニット２の異常内容に応じて異なったパターンで回転させ、異常の内容までわかるようにしてもよい。
【０１０８】
この実施の形態４の空気調和機の構成は、上記実施の形態１の図１〜図６の構成及び説明と同等であり説明を省略する。また、以下この発明の実施の形態４で上記実施の形態１〜３と同一部分および同一ステップまたは相当部分および相当ステップには同一符号を付し、詳細な説明は省略する。なお、記載以外の構造と動作は上記実施の形態１〜３と同一である。
【０１０９】
まず、空気調和機の室外ユニット１の異常時の動作について説明する、図１７，図１８はこの発明の実施の形態４の空気調和機を示す図で、図１７は室外ユニット異常時の動作を説明するフローチャートである。なお、このフローチャートのプログラムは室外制御マイコン３０のメモリ（図示せず）等に記憶され、室外制御マイコン３０等で実行される。図１８は室外ユニット異常時の運転モード、異常内容、圧縮機、室外ファン、リモコン操作の運転状態を説明するタイムチャートである。図１８において、横軸は時間を表し、Ｔａ〜Ｔｆは主要な各時点で、ＴａからＴｆへと進行する。また、縦軸は運転モードの正常／異常、異常内容の異常内容／正常、圧縮機の運転／停止、室外ファンの運転／停止、リモコン操作による運転／停止の状態を表している。
【０１１０】
まず、図１８のＴａ時点のようにリモコン５の運転・停止ボタン５ａを押して空気調和機が運転されると、室外制御マイコン３０および室内制御マイコン４０が室内ユニット２を運転するとともに、室外ユニット１もステップ１０１にて圧縮機９および室外ファンモータ７ａの運転を開始する。
【０１１１】
そして、異常検出手段４４により、ステップ１０１〜ステップ１１０からなる室外ユニット１の異常検出ステップが行われる。これらのステップは上記実施の形態１の図７で説明のステップ等と同一であり、次のように行われる。ステップ１０２で吐出温度検出センサ１７の値を取り込む。次に、ステップ１０３にて高圧圧力スイッチ１４の作動状態を取り込む。次に、ステップ１０４にて低圧圧力スイッチ１５の作動状態を取り込む。次に、ステップ１０５にて圧縮機電流センサ３２の値を取り込む。次に、ステップ１０６にて放熱フィンセンサ３４の値を取り込む。次に、ステップ１０７にて直流平滑コンデンサ２８の電圧値を取り込む。このようにステップ１０２〜ステップ１０７にて室外制御マイコン３０に室外ユニット１を制御する情報源となる各種センサの値を取り込む。
【０１１２】
次に、ステップ１０８にて、ステップ１０２〜ステップ１０７にて取り込んだ値が正常な値であるかを判定する。例えば、ステップ１０２の吐出温度検出センサ１７の検出値が０℃〜１４０℃の範囲外であれば異常と判断し、ステップ１０３で異常と判断される例えば５ＭＰａ以上で作動する高圧圧力スイッチ１４が作動していないか判断し、また、ステップ１０６で放熱フィンセンサ３４の検出値が異常と判断する例えば７５℃以上でないかを判断する等、各データが正常な値かを判断する。なお、この各種異常と判断するデータ値は空気調和機の機種や能力等により異なる。
【０１１３】
そして、ステップ１０８にて、ステップ１０２〜ステップ１０７にて取り込んだ値が正常な値である場合は、問題がないためステップ１０９にて運転継続と判断して、ステップ１０１へ戻り空気調和機の運転を継続する。
【０１１４】
ステップ１０８にて、ステップ１０２〜ステップ１０７にて取り込んだ値の内、いずれか一つでも異常な値の場合は、ステップ１１０にて異常が生じた（異常モードである）と判断する。
【０１１５】
そして、ステップ６１１とステップ６１２からなる異常記憶ステップが行われる。ステップ６１１でステップ１０２〜ステップ１０７のいずれにて異常モードになったかを室外制御マイコン３０の図示しないＲＡＭ（ランダムアクセスメモリ）に記憶し、次にステップ６１２にてステップ６１１のデータをコード化して不揮発性メモリ３９に書き込んで記憶する。つまり、異常内容を異常記憶手段４６（不揮発性メモリ３９）に記憶する。そして、図１８のＴｂ時点のようにステップ６１３にて圧縮機９および室外ファンモータ７ａを停止する。
【０１１６】
次に、ステップ６１４〜ステップ６３０からなる異常内容に応じて室外ユニット１の室外ファン７を、通常の運転と区別可能な所定の回転パターンで運転する室外ファン区別運転手段４５による室外ファン区別運転ステップが行われる。まず、ステップ６１４にてモータ動作切替スイッチ（切替設定手段）３８の設定状態を取り込み、ステップ６１５でステップ６１４にて取り込んだモータ動作切替スイッチ（切替設定手段）３８の設定状態を判定する。
【０１１７】
ステップ６１５にて、モータ動作切替スイッチ（切替設定手段）３８の設定状態が「区別運転無し」の場合は、ステップ６１６にて室外ファンモータ７ａを停止のままとし、つまり室外ファン７を停止のままとする。
【０１１８】
ステップ６１５にて、モータ動作切替スイッチ（切替設定手段）３８の設定状態が通常の「区別運転有り」の場合は、ステップ６１７にて、ステップ６１１で室外制御マイコン３０内のＲＡＭにメモリしたデータ、あるいはステップ６１２で不揮発性メモリ３９に記憶したデータに基づき、ステップ１０２〜ステップ１０７の内、いずれのステップにて異常となったかを判定する。この例ではステップ６１１の室外制御マイコン３０のＲＡＭ（図示せず）にメモリしたデータを使用する。
【０１１９】
ステップ６１７にて、ステップ１０２にて異常となったと判定した場合、ステップ６１８にて、室外ファンモータ７ａをある所定の時間（Ｔ７）に所定の回転数（Ｘ１０）にて運転し、次にステップ６１９にて室外ファンモータ７ａをある所定の時間（Ｔ８）に所定の回転数（Ｘ１１）にて運転する。
【０１２０】
ステップ６１７にて、ステップ１０３にて異常となったと判定した場合、ステップ６２０にて、室外ファンモータ７ａをある所定の時間（Ｔ９）に所定の回転数（Ｘ１２）にて運転し、次にステップ６２１にて室外ファンモータ７ａをある所定の時間（Ｔ１０）に所定の回転数（Ｘ１３）にて運転する。
【０１２１】
ステップ６１７にて、ステップ１０４にて異常となったと判定した場合、ステップ６２２にて、室外ファンモータ７ａをある所定の時間（Ｔ１１）に所定の回転数（Ｘ１４）にて運転し、次にステップ６２３にて室外ファンモータ７ａをある所定の時間（Ｔ１２）に所定の回転数（Ｘ１５）にて運転する。
【０１２２】
ステップ６１７にて、ステップ１０５にて異常となったと判定した場合、ステップ６２４にて、室外ファンモータ７ａをある所定の時間（Ｔ１３）に所定の回転数（Ｘ１６）にて運転し、次にステップ６２５にて室外ファンモータ７ａをある所定の時間（Ｔ１４）に所定の回転数（Ｘ１７）にて運転する。
【０１２３】
ステップ６１７にて、ステップ１０６にて異常となったと判定した場合、ステップ６２６にて、室外ファンモータ７ａをある所定の時間（Ｔ１５）に所定の回転数（Ｘ１８）にて運転し、次にステップ６２７にて室外ファンモータ７ａをある所定の時間（Ｔ１６）に所定の回転数（Ｘ１９）にて運転する。
【０１２４】
ステップ６１７にて、ステップ１０７にて異常となったと判定した場合、ステップ６２８にて、室外ファンモータ７ａをある所定の時間（Ｔ１７）に所定の回転数（Ｘ２０）にて運転し、次にステップ６２９にて室外ファンモータ７ａをある所定の時間（Ｔ１８）に所定の回転数（Ｘ２１）にて運転する。
【０１２５】
この（Ｔ７）〜（Ｔ１８）の時間と（Ｘ１０）〜（Ｘ２１）の回転数との組み合わせは、回転数と時間の両方を異ならせても良いし、どちらか一方を異ならせるだけで区別が可能で、この実施の形態ではステップ１０２〜ステップ１０７の６種類のパターンを用意すればよい。一部の例を示すが、図１８に示すようにステップ１０２の吐出温度検出センサ１７の異常を示す所定の時間（Ｔ７）を２０秒、所定の回転数（Ｘ１０）を０ｒｐｍ（停止）、また所定の時間（Ｔ８）を５０秒、所定の回転数（Ｘ１１）を４００ｒｐｍとし、ステップ１０３の高圧圧力スイッチ１４の異常を示す所定の時間（Ｔ９）を４０秒、所定の回転数（Ｘ１２）を２００ｒｐｍ。所定の時間（Ｔ１０）を２０秒、所定の回転数（Ｘ１３）を５００ｒｐｍとした。なお、頻回に異常が続くことは殆ど有り得ないケースであるが、図１８では説明のためＴｂ時点でステップ１０２の吐出温度検出センサ１７のデータ異常を検出し、Ｔｃ時点でメンテナンス等により正常になって通常の運転が再開された後Ｔｅ時点で再度ステップ１０３の高圧圧力スイッチ１４の異常を検出した場合を示している。
【０１２６】
そして、ステップ６３０でステップ１１０にて判断した異常モードが解除されたかを判断し、ステップ６３０にて、異常状態が解除されず異常モードが「継続」であると判断した場合は、ステップ６１４に戻り、異常内容に応じてステップ６１８〜ステップ６２９を繰り返すことで、図１８のＴｂ〜Ｔｃ間又はＴｅ〜Ｔｆ間のようにステップ１０２の吐出温度検出センサ１７の異常であれば、室外ファン７が２０秒間０ｒｐｍ（停止）の回転数と、５０秒間４００ｒｐｍの回転数による交互回転を繰り返し、また、ステップ１０３の高圧圧力スイッチ１４の異常であれば、室外ファン７が４０秒間２００ｒｐｍの回転数と、２０秒間５００ｒｐｍの回転数による交互回転を繰り返すようにしている。なお、図１８のＴｂ〜Ｔｃ間又はＴｅ〜Ｔｆ間では交互運転の繰り返しを２回分のみ示しているが、実際には異常が解除されるか、または、リモコン５の運転・停止ボタン５ａが押されて、空気調和機の運転が完全に停止されるまで、繰り返し室外ファン７のこの区別運転が行われる。
【０１２７】
そして、ステップ６３０にて、異常が高負荷等の一時的な場合で、各種センサ類のデータが正常な値になり正常な状態に復帰した場合や、修理サービス等が完了し、リモコン５の運転・停止ボタン５ａが再び押されると異常モードが解除され、異常モードが「解除」であると判断し、図１８のＴｃ時点又はＴｆ時点でステップ６３１にて室外ファンモータ７ａを停止して室外ファン７を止める。そして、空気調和機の運転が再び可能となる運転スタンバイの状態に移行し、次の運転（図１８のＴｄ時点など）を待つ。
【０１２８】
次に、この実施の形態の空気調和機の室内ユニット２異常時の動作について説明する。図１９はこの発明の実施の形態４を示す室内ユニット異常時の動作を説明するフローチャートである。なお、このフローチャートのプログラムは室外制御マイコン３０や室内制御マイコン４０のメモリ（図示せず）等に記憶され、室外制御マイコン３０や室内制御マイコン４０等で実行される。図２０はこの発明の実施の形態４を示す室内ユニット異常時の運転モード、異常内容、圧縮機、室外ファン、リモコン操作の運転状態を説明するすタイムチャートである。図２０において、横軸は時間を表し、Ｔａ〜Ｔｆは主要な各時点で、ＴａからＴｆへと進行する。また、縦軸は室内ユニット運転モードの正常／異常、異常内容の異常内容／正常、圧縮機の運転／停止、室外ファンの運転／停止、リモコン操作による運転／停止の状態を表している。
【０１２９】
まず、上記の室外ユニット１側で説明したように図２０のＴａ時点でリモコン５の運転・停止ボタン５ａを押して空気調和機が運転されると、室外制御マイコン３０及び室内制御マイコン４０が室内ユニット２を運転するとともに、室外ユニット１もステップ１０１にて圧縮機９および室外ファンモータ７ａの運転を開始する。
【０１３０】
そして、異常検出手段４４により、ステップ１０１及びステップ２０２〜２０７からなる室内ユニット２の異常検出ステップが行われる。これらのステップは上記実施の形態１の図９の説明と同一であり、次のように行われる。ステップ２０２で室温検出センサ１８の値を取り込む。次に、ステップ２０３にて室内熱交換器温度検出センサ１９の値を取り込む。次に、ステップ２０４にてリモコン５との通信が正常かをチェックする。このようにステップ２０２〜ステップ２０４にて室内制御マイコン４０に各種室内ユニット２及び室外ユニット１を制御する情報源となる各種センサ等の値を取り込む。
【０１３１】
次に、ステップ２０５にて、ステップ２０２〜ステップ２０４にて取り込んだ値が正常な値であるかを判定する。例えば、ステップ２０３の室内熱交換器温度検出センサ１９の検出値が−３０℃〜８０℃の範囲外であれば異常と判断する等、各データが正常な値かを判断する。なお、この各種異常と判断するデータ値は空気調和機の機種や能力等により異なる。
【０１３２】
そして、ステップ２０５にて、ステップ２０２〜ステップ２０４にて取り込んだ値が正常な値である場合は、問題がないためステップ２０６にて運転継続と判断して、ステップ１０１へ戻り空気調和機の運転を継続する。
【０１３３】
ステップ２０５にて、ステップ２０２〜ステップ２０４にて取り込んだ値の内、いずれか一つでも異常な値の場合は、ステップ２０７で室内ユニット２にて異常が生じた（異常モードである）と判断する。
【０１３４】
そして、ステップ７０８〜ステップ７０９からなる室内ユニット２の異常内容を記憶する異常記憶ステップが行われる。ステップ７０８でステップ２０２〜ステップ２０４のいずれのステップにて異常モードとなったのかを、室内制御マイコン４０内のＲＡＭ（図示せず）にメモリし、次にステップ７０９にて、ステップ７０８のデータをコード化し、不揮発性メモリ４２に書き込んで記憶する。つまり、異常内容を室内ユニット２側の異常記憶手段４６（不揮発性メモリ４２）に記憶する。
【０１３５】
次に、ステップ７１０にて、室内制御マイコン４０は通信回路４１ａおよび４１ｂを介して、室外制御マイコン３０に異常モードとなったことを送信し、ステップ７１１にて、室内制御マイコン４０はステップ７０８にてメモリしたデータを室外制御マイコン３０に送信する。
【０１３６】
次に、室外制御マイコン３０はステップ７１２にて、ステップ７１０で室内制御マイコン４０から、異常モードとなったことを取り込んだ結果に基づき、圧縮機９および室外ファンモータ７ａを停止する。
【０１３７】
次に、ステップ７１３〜ステップ７２３からなる室内ユニット２の異常内容に応じて室外ユニット１の室外ファン７を、通常の運転と区別可能な所定の回転パターンで運転する室外ファン区別運転手段４５による室外ファン区別運転ステップが行われる。まず、ステップ７１３にてモータ動作切替スイッチ（切替設定手段）３８の設定状態を取り込み、ステップ７１４でステップ７１３にて取り込んだモータ動作切替スイッチ（切替設定手段）３８の設定状態を判定する。
【０１３８】
ステップ７１４にて、モータ動作切替スイッチ（切替設定手段）３８の設定状態が「区別運転無し」の場合は、ステップ７１５にて室外ファンモータ７ａを停止のままとし、つまり室外ファン７を停止のままとする。
【０１３９】
ステップ７１４にて、モータ動作切替スイッチ（切替設定手段）３８の設定状態が通常の「区別運転有り」の場合は、ステップ７１６にて、ステップ７１１で室内制御マイコン４０から受信したデータに基づき、ステップ２０２〜ステップ２０４の内、いずれのステップにて異常となったかを判定する。
【０１４０】
室外制御マイコン３０はステップ７１６にて、ステップ２０２にて異常となったと判定した場合、ステップ７１７にて、室外ファンモータ７ａをある所定の時間（Ｔ１９）に所定の回転数（Ｘ２２）にて運転し、次にステップ７１８にて室外ファンモータ７ａをある所定の時間（Ｔ２０）に所定の回転数（Ｘ２３）にて運転する。
【０１４１】
室外制御マイコン３０はステップ７１６にて、ステップ２０３にて異常となったと判定した場合、ステップ７１９にて、室外ファンモータ７ａをある所定の時間（Ｔ２１）に所定の回転数（Ｘ２４）にて運転し、次にステップ７２０にて室外ファンモータ７ａをある所定の時間（Ｔ２２）に所定の回転数（Ｘ２５）にて運転する。
【０１４２】
室外制御マイコン３０はステップ７１６にて、ステップ２０４にて異常となったと判定した場合、ステップ７２１にて、室外ファンモータ７ａをある所定の時間（Ｔ２３）に所定の回転数（Ｘ２６）にて運転し、次にステップ７２２にて室外ファンモータ７ａをある所定の時間（Ｔ２４）に所定の回転数（Ｘ２７）にて運転する。
【０１４３】
この（Ｔ１９）〜（Ｔ２４）の時間と（Ｘ２２）〜（Ｘ２７）の回転数との組み合わせは、室外ユニット１の異常の場合と同様に回転数と時間の両方を異ならせても良いし、どちらか一方を異ならせるだけで区別が可能で、この実施の形態ではステップ２０２〜ステップ２０４の３種類を用意すればよいが、上記室外ユニット１側の異常の際の回転パターン（６種類）と区別できるパターンにすれば、さらに、室外ユニット１側の異常内容と室内ユニット２側の異常内容も区別でき好適である。
【０１４４】
この図２０では異常の内、ステップ２０２の室温検出センサ１８の異常時とステップ２０３の室内熱交換器温度センサ１９の異常時による回転パターン例を示すが、図に示すようにステップ２０２の室温検出センサ１８の異常を示す所定の時間（Ｔ１９）を４０秒、所定の回転数（Ｘ２２）を０ｒｐｍ（停止）、また所定の時間（Ｔ２０）を７０秒、所定の回転数（Ｘ２３）を３５０ｒｐｍとし、ステップ２０３の室内熱交換器温度センサ１９の異常を示す所定の時間（Ｔ２１）を８０秒、所定の回転数（Ｘ２４）を２５０ｒｐｍ。所定の時間（Ｔ２２）を３０秒、所定の回転数（Ｘ２５）を５５０ｒｐｍとした。なお、頻回に異常が続くことは殆ど有り得ないケースであるが、図２０では説明のためＴｂ時点でステップ２０２の室温検出センサ１８の異常を検出し、Ｔｃ時点でメンテナンス等により正常になって通常の運転が再開された後Ｔｅ時点で再度ステップ２０３の室内熱交換器温度センサ１９の異常を検出した場合を示している。
【０１４５】
そして、ステップ７２３でステップ２０７にて判断した異常モードが解除されたかを判断し、ステップ７２３にて、異常状態が解除されず異常モードが「継続」であると判断した場合は、ステップ７１３に戻り、異常内容に応じてステップ７１７〜ステップ７２２を繰り返すことで、図２０のＴｂ〜Ｔｃ間又はＴｅ〜Ｔｆ間のようにステップ２０２の室温検出センサ１８の異常であれば、室外ファン７が４０秒間０ｒｐｍ（停止）の回転数と、７０秒間３５０ｒｐｍの回転数による交互回転を繰り返し、また、ステップ２０３の室内熱交換器温度センサ１９の異常であれば、室外ファン７が８０秒間２５０ｒｐｍの回転数と、３０秒間５５０ｒｐｍの回転数による交互回転を繰り返すようにしている。なお、図２０のＴｂ〜Ｔｃ間又はＴｅ〜Ｔｆ間では交互運転の繰り返しを２回分のみ示しているが、実際には異常が解除されるか、または、リモコン５の運転・停止ボタン５ａが押されて、空気調和機の運転が完全に停止されるまで、繰り返しこの室外ファン７の区別運転が行われる。
【０１４６】
そして、ステップ７２３にて、異常が高負荷等の一時的な場合で、各種センサ類のデータが正常な値になり正常な状態に復帰した場合や、修理サービス等が完了し、リモコン５の運転・停止ボタン５ａが再び押されると異常モードが解除され、異常モードが「解除」であると判断した場合は、ステップ７２４にて、室内制御マイコン４０は通信回路４１ａおよび４１ｂを介して、室外制御マイコン４０に異常モードが解除されたことを送信する。室外制御マイコン４０は、ステップ７２４にて室内制御マイコン４０から、異常モードが解除されたことを取り込んだ結果、図２０のＴｃ時点又はＴｆ時点でステップ７２５にて室外ファンモータ７ａを停止して室外ファン７を止める。そして、空気調和機の運転が再び可能となる運転スタンバイの状態に移行し、次の運転（図１８のＴｄ時点など）を待つ。
【０１４７】
このように、室外ユニット１あるいは室内ユニット２が異常になった際に、自動的に室外ファンモータ７ａにより室外ファン７を、通常の運転と区別可能な回転パターンで運転したので、上記実施の形態１〜３と同様に、従来のように室外ユニット１のパネル（図示せず）を開けなくても室外ユニット１の外側から通常の運転と異なる所定の回転パターンで回転する室外ファン７を有する室外ユニット１を見つけるだけで、簡単に目的の室外ユニット１を見つけることができ、修理サービスやメンテナンスを容易にできるようになる。
【０１４８】
また、この実施の形態では室外ユニット１の異常内容あるいは室外ユニット２の異常内容に応じて、室外ファン７をそれぞれ異なった区別可能な所定の回転パターンで運転するため、異常の室外ユニット１あるいは、異常の室内ユニット２に離れて接続された室外ユニット１を簡単に見つけられるだけでなく、回転パターンの種類により異常の内容も判別できるので、例えば使用者が修理を依頼する者に回転のパターンを伝え、修理を行う者は、事前に異常箇所がわかるので、修理する材料をすぐに容易して修理に出掛けることができ、つまり、すぐに修理サービスに取り掛かれるなど、さらに修理サービスやメンテナンスを容易にできる効果がある。また、室外ユニット１内に設けているＬＥＤ等による異常内容表示等を削減することも可能になり、さらに安価にすることが可能になる。
【０１４９】
このように、冷媒配管３にて接続されるとともに、相互に情報を通信する室内ユニット２と室外ユニット１とを有する空気調和機において、室内ユニット２あるいは室外ユニット１の異常を検出する異常検出手段４４と、異常検出手段４４により異常を検出した時に、異常内容に応じて室外ユニット１の室外ファン７を通常の運転と区別可能な所定の回転パターンで運転する室外ファン区別運転手段４５とを設けたので、異常が生じた室外ユニット１あるいは異常が生じた室内ユニット２に接続された室外ユニット１を、特別な部品を設けることなく安価に、かつ簡単に見つけ出すことができ、また、異常の内容も判別できるので、修理サービスやメンテナンスを容易にできる効果がある。
【０１５０】
また、室外ファン区別運転手段４５による室外ファン１の通常の運転と区別可能な所定の回転パターンは、回転数と時間とを組み合わせた複数の回転パターンとしたので、区別可能な多くの回転パターンを得られる効果もある。
【０１５１】
次に、この実施の形態の空気調和機の室外ユニット１に異常があった場合で点検ボタン（点検司令手段）５ｈから司令があった時の動作について説明する。図２１はこの発明の実施の形態４を示す室外ユニット異常時の点検司令手段による動作を説明するフローチャートである。なお、このフローチャートのプログラムは室外制御マイコン３０のメモリ（図示せず）等に記憶され、室外制御マイコン３０や室内制御マイコン４０等で実行される。図２２はこの発明の実施の形態４を示す点検司令手段による室外ファン、リモコン点検ボタン（点検司令手段）の状態を説明するタイムチャートである。図２２において、横軸は時間を表し、Ｔｊ〜Ｔｋは点検ボタン（点検指令手段）５ｈのＯＮ〜ＯＦＦ時点で、ＴｊからＴｋへと進行する。また、縦軸は室外ファンの運転／停止、リモコン操作による点検ボタン（点検司令手段）５ｈのＯＮ／ＯＦＦの状態を表している。
【０１５２】
まず、図２２のＴｊ時点でリモコン５の点検ボタン（点検司令手段）５ｈがＯＮされると、ステップ８０１にてリモコン用マイコン（図示せず）が室内制御マイコン４０に点検ボタン（点検司令手段）５ｈがＯＮされたことを送信する。次に、ステップ８０２にて、室内制御マイコン４０は室外制御マイコン３０に点検モードが開始されたことを送信する。
【０１５３】
そして、上記室外ユニット１異常時の図１７のステップ６１１とステップ６１２による異常内容を記憶した異常記憶ステップにより、ステップ６１２の不揮発性メモリ３９（異常記憶手段４６）に書き込んだ室外ユニット１が異常になった時の異常内容のコードデータを、ステップ８０３で読み出す。
【０１５４】
そして、ステップ８０４〜ステップ８２０からなる室外ユニット１の室外ファン７を、通常の運転とは区別可能な所定の回転パターンで運転する室外ファン区別運転手段４５による室外ファン区別運転ステップが行われる。まず、ステップ８０４にてモータ動作切替スイッチ（切替設定手段）３８の設定状態を取り込み、ステップ８０５にてステップ８０４で取り込んだモータ動作切替スイッチ（切替設定手段）３８の設定状態を判定する。
【０１５５】
ステップ８０５にて、モータ動作切替スイッチ（切替設定手段）３８の設定状態が「区別運転無し」の場合は、ステップ８０６にて室外ファンモータ７ａを停止し、つまり室外ファン７を停止のままとする。
【０１５６】
ステップ８０５にて、モータ動作切替スイッチ（切替設定手段）３８の設定状態が通常の「区別運転有り」の場合は、ステップ８０７でステップ８０３にて不揮発性メモリ３９から読み出した異常コードデータが、上記図１７のステップ１０２〜ステップ１０７のいずれのステップで異常となっていたかを判断し、図１７のステップ６１８からステップ６２９と同様に、異常内容に応じて、通常の運転と区別可能な所定の回転パターンで室外ファン７を区別運転する。
【０１５７】
つまり、ステップ８０７にて、ステップ１０２にて異常となったと判定した場合、ステップ８０８にて、室外ファンモータ７ａをある所定の時間（Ｔ７）に所定の回転数（Ｘ１０）にて運転し、次にステップ８０９にて室外ファンモータ７ａをある所定の時間（Ｔ８）に所定の回転数（Ｘ１１）にて運転する。
【０１５８】
ステップ８０７にて、ステップ１０３にて異常となったと判定した場合、ステップ８１０にて、室外ファンモータ７ａをある所定の時間（Ｔ９）に所定の回転数（Ｘ１２）にて運転し、次にステップ８１１にて室外ファンモータ７ａをある所定の時間（Ｔ１０）に所定の回転数（Ｘ１３）にて運転する。
【０１５９】
ステップ８０７にて、ステップ１０４にて異常となったと判定した場合、ステップ８１２にて、室外ファンモータ７ａをある所定の時間（Ｔ１１）に所定の回転数（Ｘ１４）にて運転し、次にステップ８１３にて室外ファンモータ７ａをある所定の時間（Ｔ１２）に所定の回転数（Ｘ１５）にて運転する。
【０１６０】
ステップ８０７にて、ステップ１０５にて異常となったと判定した場合、ステップ８１４にて、室外ファンモータ７ａをある所定の時間（Ｔ１３）に所定の回転数（Ｘ１６）にて運転し、次にステップ８１５にて室外ファンモータ７ａをある所定の時間（Ｔ１４）に所定の回転数（Ｘ１７）にて運転する。
【０１６１】
ステップ８０７にて、ステップ１０６にて異常となったと判定した場合、ステップ８１６にて、室外ファンモータ７ａをある所定の時間（Ｔ１５）に所定の回転数（Ｘ１８）にて運転し、次にステップ８１７にて室外ファンモータ７ａをある所定の時間（Ｔ１６）に所定の回転数（Ｘ１９）にて運転する。
【０１６２】
ステップ８０７にて、ステップ１０７にて異常となったと判定した場合、ステップ８１８にて、室外ファンモータ７ａをある所定の時間（Ｔ１７）に所定の回転数（Ｘ２０）にて運転し、次にステップ８１９にて室外ファンモータ７ａをある所定の時間（Ｔ１８）に所定の回転数（Ｘ２１）にて運転する。
【０１６３】
そして、ステップ８２０にてリモコン用マイコン（図示せず）は点検ボタン（点検指令手段）５ｈがＯＦＦとなったかを判断し、ステップ８２０にて、点検ボタンがＯＦＦではないと判断した場合は、ステップ８０４に戻り、異常内容に応じてステップ８０８〜ステップ８１９を繰り返すことで、通常の運転と区別可能な所定のパターンによる室外ファン７の運転が行われる。
【０１６４】
回転パターンの（Ｔ７）〜（Ｔ１８）の時間と（Ｘ１０）〜（Ｘ２１）の回転数との組み合わせは、回転数と時間の両方を異ならせても良いし、どちらか一方を異ならせるだけで区別が可能で、この例では室外ユニット１が異常になった時点の図１７による説明と同じ時間（Ｔ７）〜（Ｔ１８）と回転数（Ｘ１０）〜（Ｘ２１）にして、室外ファン７の区別運転の回転パターンを、室外ユニット１が異常になった時点と点検ボタン（点検司令手段）５ｈが押された時とで、同じ回転パターンが同じ異常内容を示すようにして室外ユニット１の異常内容をわかりやすくしている。
【０１６５】
図２２ではステップ８０７で異常内容の内、ステップ１０２の吐出温度検出センサ１７が異常データとなった場合の一例を示し、ステップ８０８とステップ８０９でそれぞれ所定の時間（Ｔ７）を２０秒、所定の回転数（Ｘ１０）を０ｒｐｍ（停止）、また所定の時間（Ｔ８）を５０秒、所定の回転数（Ｘ１１）を４００ｒｐｍとして、図２２のＴｊ〜Ｔｋ時点の間で、メンテナンスが終了しステップ８２０で、再び点検ボタン（点検指令手段）５ｈが押されるまで交互運転を繰り返している。
【０１６６】
そして、ステップ８２０にて、点検ボタン（点検指令手段）５ｈがＯＦＦであると判断した場合は、ステップ８２１にてリモコン用マイコン（図示せず）は室内制御マイコン４０に点検ボタンがＯＦＦされたことを送信する。
【０１６７】
次に、ステップ８２２にて、室内制御マイコン４０は室外制御マイコン３０に点検モードが解除されたことを送信する。次に、ステップ８２３にて室外ファンモータ７ａを停止して、室外ファン７を止める。そして、空気調和機の運転が再び可能となる運転スタンバイの状態に移行し、次の運転を待つ。
【０１６８】
なお、修理サービスが終了した後、不揮発性メモリ３９に記憶された異常内容データは、次の異常内容記憶のため、リモコン５の図示しないリセットボタン等により消去できるようにしている。
【０１６９】
次に、この実施の形態の空気調和機の室内ユニット２に異常があった場合で、点検ボタン（点検司令手段）５ｈから司令があった時の動作について説明する。図２３はこの発明の実施の形態４を示す室内ユニット異常時の点検司令手段による動作を説明するフローチャートである。なお、このフローチャートのプログラムは室外制御マイコン３０や室内制御マイコン４０のメモリ（図示せず）等に記憶され、室外制御マイコン３０や室内制御マイコン４０等で実行される。図２４はこの発明の実施の形態４を示す点検司令手段による室外ファン、リモコン点検ボタン（点検司令手段）の状態を説明するタイムチャートである。図２４において、横軸は時間を表し、Ｔｊ〜Ｔｋは点検ボタン（点検指令手段）５ｈのＯＮ〜ＯＦＦ時点で、ＴｊからＴｋへと進行する。また、縦軸は室外ファンの運転／停止、リモコン操作による点検ボタン（点検司令手段）５ｈのＯＮ／ＯＦＦの状態を表している。
【０１７０】
まず、図２４のＴｊ時点でリモコン５の点検ボタン（点検司令手段）５ｈがＯＮされると、上記図２１の説明のとおり、ステップ８０１にてリモコン用マイコン（図示せず）が室内制御マイコン４０に点検ボタン（点検司令手段）５ｈがＯＮされたことを送信する。次に、ステップ８０２にて、室内制御マイコン４０は室外制御マイコン３０に点検モードが開始されたことを送信する。
【０１７１】
そして、上記室内ユニット２異常時の図１９のステップ７０８とステップ７０９による異常内容を記憶した異常記憶ステップにより、ステップ７０９の不揮発性メモリ４２（異常記憶手段４６）に書き込んだ室内ユニット２が異常になった時の異常内容のコードデータを、ステップ９０３で読み出す。そしてステップ９０４にて、室内制御マイコン４０は通信回路４１ａおよび４１ｂを介して、ステップ９０３にて不揮発性メモリ４２から読み込んだ異常コードデータを室外制御マイコン３０に送信する。
【０１７２】
そして、ステップ９０５〜ステップ９１５からなる室外ユニット１の室外ファン７を、通常の運転と区別可能な所定の回転パターンで運転する室外ファン区別運転手段４５による室外ファン区別運転ステップが行われる。まず、ステップ９０５にてモータ動作切替スイッチ（切替設定手段）３８の設定状態を取り込み、ステップ９０６にてステップ９０５で取り込んだモータ動作切替スイッチ（切替設定手段）３８の設定状態を判定する。
【０１７３】
ステップ９０６にて、モータ動作切替スイッチ（切替設定手段）３８の設定状態が「区別運転無し」の場合は、ステップ９０７にて室外ファンモータ７ａを停止し、室外ファン７を停止のままとする。
【０１７４】
ステップ９０６にて、モータ動作切替スイッチ（切替設定手段）３８の設定状態が通常の「区別運転有り」の場合は、ステップ９０８でステップ９０４で室内制御マイコン４０から受信した異常コードデータに基づき上記図１９のステップ２０２〜ステップ２０４のいずれのステップで異常となっていたかを判断し、図１９のステップ７１７からステップ７２２と同様に、室内ユニット２の異常内容に応じて、通常の運転と区別可能な所定の回転パターンで室外ファン７を区別運転する。
【０１７５】
室外制御マイコン３０はステップ９０８にて、ステップ２０２にて異常となったと判定した場合、ステップ９０９にて、室外ファンモータ７ａをある所定の時間（Ｔ１９）に所定の回転数（Ｘ２２）にて運転し、次にステップ９１０にて室外ファンモータ７ａをある所定の時間（Ｔ２０）に所定の回転数（Ｘ２３）にて運転する。
【０１７６】
室外制御マイコン３０はステップ９０８にて、ステップ２０３にて異常となったと判定した場合、ステップ９１１にて、室外ファンモータ７ａをある所定の時間（Ｔ２１）に所定の回転数（Ｘ２４）にて運転し、次にステップ９１２にて室外ファンモータ７ａをある所定の時間（Ｔ２２）に所定の回転数（Ｘ２５）にて運転する。
【０１７７】
室外制御マイコン３０はステップ９０８にて、ステップ２０４にて異常となったと判定した場合、ステップ９１３にて、室外ファンモータ７ａをある所定の時間（Ｔ２３）に所定の回転数（Ｘ２６）にて運転し、次にステップ９１４にて室外ファンモータ７ａをある所定の時間（Ｔ２４）に所定の回転数（Ｘ２７）にて運転する。
【０１７８】
そして、ステップ９１５にてリモコン用マイコン（図示せず）は点検ボタン（点検指令手段）５ｈがＯＦＦとなったかを判断し、ステップ９１５にて、点検ボタンがＯＦＦではないと判断した場合は、ステップ９０５に戻り、異常内容に応じてステップ９０９〜ステップ９１４を繰り返すことで、通常の運転と区別可能な所定のパターンによる室外ファン７の運転が行われる。
【０１７９】
この（Ｔ１９）〜（Ｔ２４）の時間と（Ｘ２２）〜（Ｘ２７）の回転数との組み合わせは、室外ユニット１の異常の場合と同様に回転数と時間の両方を異ならせても良いし、どちらか一方を異ならせるだけで区別が可能で、この例では室内ユニット２が異常になった時点の図１９による説明と同じ時間（Ｔ１９）〜（Ｔ２４）と回転数（Ｘ２２）〜（Ｘ２７）にして、室外ファン７の区別運転の回転パターンを、室内ユニット２が異常になった時点と点検ボタン（点検司令手段）５ｈが押された時とで、同じ回転パターンが同じ異常内容を示すようにして、室内ユニット２の異常内容をわかりやすくしている。
【０１８０】
図２４ではステップ９０８で受信した異常内容のコードデータがステップ２０２の室温検出センサ１８が異常データとなった場合の一例を示し、ステップ９０９とステップ９１０でそれぞれ所定の時間（Ｔ１９）を４０秒、所定の回転数（Ｘ２２）を０ｒｐｍ（停止）、また所定の時間（Ｔ２０）を７０秒、所定の回転数（Ｘ２３）を３５０ｒｐｍとして、図２４のＴｊ〜Ｔｋ時点の間で、メンテナンスが終了するなど、再び点検ボタン（点検指令手段）５ｈが押されるまで交互に運転を繰り返している。
【０１８１】
そして、ステップ９１５にて、点検ボタン（点検指令手段）５ｈがＯＦＦであると判断した場合は、ステップ９１６にてリモコン用マイコン（図示せず）は室内制御マイコン４０に点検ボタンがＯＦＦされたことを送信する。
【０１８２】
次に、ステップ９１７にて、室内制御マイコン４０は室外制御マイコン３０に点検モードが解除されたことを送信する。次に、ステップ９１８にて室外ファンモータ７ａを停止して、室外ファン７を止める。そして、空気調和機の運転が再び可能となる運転スタンバイの状態に移行し、次の運転を待つ。
【０１８３】
なお、修理サービスが終了した後、不揮発性メモリ４２に記憶された異常内容データは、次の異常内容記憶のため、リモコン５の図示しないリセットボタン等により消去できるようにしている。
【０１８４】
このように、冷媒配管３にて接続されるとともに、相互に情報を通信する室内ユニット２と室外ユニット１とを有する空気調和機において、室内ユニット２あるいは室外ユニット１の異常を検出する異常検出手段４４と、異常検出手段４４により異常を検出した時に、異常内容を記憶する異常記憶手段４６と、室内ユニット２あるいは室内ユニット２に運転指令を与えるリモコン（リモートコントローラ）５に配置した点検指令信号を与える点検ボタン（点検指令手段）５ｈと、点検ボタン（点検指令手段）５ｈから点検指令信号を受信した時に、異常記憶手段４６で記憶した異常内容を読み出し、読み出した異常内容に応じて室外ユニット１の室外ファン７を通常の運転と区別可能な所定の回転パターンで運転する室外ファン区別運転手段４５とを設けたので、上記実施の形態１〜３と同様に、異常が生じた室外ユニット１あるいは異常が生じた室内ユニット２に接続された室外ユニット１を、異常から時間が経過した後であっても簡単に見つけ出すことができ、また、異常内容も判別できるので修理サービスやメンテナンスを容易にできる効果がある。また、特に一旦異常になったが、次に空気調和機を運転したら異常ではなくなっていた場合などであっても、異常内容を異常記憶手段４６で記憶し、室外ファン７が区別運転されるので、どこが異常であったのかを知ることができ、修理サービスやメンテナンスをさらに容易にできる効果がある。
【０１８５】
また、冷媒配管３にて接続されるとともに、相互に情報を通信する室内ユニット２と室外ユニット１とを有する空気調和機の室内ユニット２あるいは室外ユニット１の異常を検出する異常検出ステップと、異常検出ステップにより異常を検出した時に、異常内容を記憶する異常記憶ステップと、室内ユニット２あるいは室内ユニット２に運転指令を与えるリモコン（リモートコントローラ）５に配置した点検ボタン（点検指令手段）５ｈから点検指令信号を受信した時に、異常記憶ステップで記憶した異常内容を読み出し、読み出した異常内容に応じて室外ユニット１の室外ファン７を、通常の運転と区別可能な所定の回転パターンで運転する室外ファン区別運転ステップと、を備えたので、簡単な制御で、異常が生じた室外ユニット１あるいは異常が生じた室内ユニット２に接続された室外ユニット１を、異常から時間が経過した後であっても簡単に見つけ出すことができ、また、異常内容も判別できるので修理サービスやメンテナンスを容易にできる効果がある。また、特に一旦異常になったが、次に空気調和機を運転したら異常ではなくなっていた場合などであっても、室外ファン７の区別運転の回転パターンにより、どこが異常であったのかを知ることができ、修理サービスやメンテナンスをさらに容易にできる効果がある。
【０１８６】
実施の形態５．
上記実施の形態１〜４では室外ユニット１に１個の室外ファン７を備えたものを示したが、複数個の室外ファン７を備えたものであってもよい。図２５，図２６はこの発明の実施の形態５の空気調和機を示す図で、図２５は空気調和機の全体構成図、図２６は空気調和機の制御回路ブロック図である。図に示すように、この室外ユニット１は室外ファンモータ７ａを備えた室外ファン７を２個備えている。また、室外ファンモータ７ａが２個のため、図２６に示すようにインバータ回路３５およびファンモータ駆動マイコン３６もそれぞれ２個づつ設けていて、他の構成は上記実施の形態１と同等であり、同一符号を付し説明は省略する。なお、記載以外の構成と動作は上記実施の形態１と同一である。なお、図２５では室外ファン７をわかりやすく説明するため、グリル８を一部切り欠いた状態で示しているが、グリル８は室外ファン７の送風がスムーズに吹き出されるように格子状や網目状などで形成され、室外ユニット１の外側からグリル８の格子や網目越しに内部の室外ファン７を容易に見ることができるように形成されている。
【０１８７】
次に、室外ユニット１が異常になった場合の動作について説明する。図２７はこの発明の実施の形態５を示す空気調和機の室外ユニット異常時の動作を説明するフローチャートである。なお、このフローチャートのプログラムは室外制御マイコン３０のメモリ（図示せず）等に記憶され、室外制御マイコン３０等で実行される。図２８はこの発明の実施の形態５を示す空気調和機の室外ユニット異常時の運転モード、圧縮機、上の室外ファン、下の室外ファン、リモコン操作の運転状態を説明するタイムチャートである。図２８において、横軸は時間を表し、Ｔａ〜Ｔｄは主要な各時点で、ＴａからＴｄへと進行する。また、縦軸は運転モードの正常／異常、圧縮機の運転／停止、上の室外ファンの運転／停止、下の室外ファンの運転／停止、リモコン操作による運転／停止の状態を表している。なお、実施の形態１と同一部分と同一ステップまたは相当部分および相当ステップには同一符号を付し、詳細な説明は省略する。
【０１８８】
まず、図２８のＴａ時点のようにリモコン５の運転・停止ボタン５ａを押して空気調和機が運転されると、室外制御マイコン３０及び室内制御マイコン４０が室内ユニット２を運転するとともに、室外ユニット１もステップ１０１にて圧縮機９および室外ファンモータ７ａの運転を開始する。
【０１８９】
そして、異常検出手段４４により、ステップ１０１〜ステップ１１０からなる室外ユニット１の異常検出ステップと、図２８のＴｂ時点で圧縮機９および室外ファンモータ７ａを停止するステップ１１１が行われるが、これらは上記実施の形態１の図７で説明のステップと同一であり、説明を省略する。なお、一般的に２個の室外ファン７は同時に運転され、同時に停止されるようにしている。
【０１９０】
次に、ステップ１１２〜ステップ１１４及びステップ１０１５〜ステップ１０１６からなる室外ユニット１の２個の室外ファン７を、通常の運転と区別可能な所定の回転パターンで運転する室外ファン区別運転手段４５による室外ファン区別運転ステップが行われる。まず、ステップ１１２にてモータ動作切替スイッチ（切替設定手段）３８の設定状態を取り込み、ステップ１１３にてステップ１１２にて取り込んだモータ動作切替スイッチ（切替設定手段）３８の設定状態を判定する。
【０１９１】
ステップ１１３にて、モータ動作切替スイッチ（切替設定手段）３８の設定状態が「区別運転無し」の場合は、ステップ１１４にて室外ファンモータ７ａを停止のままとし、つまり室外ファン７を停止のままとする。
【０１９２】
ステップ１１３にて、モータ動作切替スイッチ（切替設定手段）３８の設定状態が通常の「区別運転有り」の場合は、ステップ１０１５にて下側の室外ファンモータ７ａを所定の回転数（Ｘ１）にて運転する。この時ステップ１１１により上側の室外ファン７は停止のままとなっている。２個の室外ファン７は通常同時に回転させているため、このように一方を回転するだけのパターンでも通常の運転と異なることが簡単に区別できる。
【０１９３】
そして、ステップ１０１６でステップ１１０にて判断した異常モードが解除されたかを判断し、ステップ１０１６にて、異常状態が解除されず異常モードが「継続」であると判断した場合は、ステップ１１２に戻り、図２８のＴｂ〜Ｔｃ間のようにリモコン５の運転・停止ボタン５ａが押されて、空気調和機の運転を完全に停止されるまで、ステップ１０１５で下側の室外ファン７のみを回転させる。
【０１９４】
そして、ステップ１０１６にて、異常が高負荷等の一時的な場合で、各種センサ類のデータが正常な値になり正常な状態に復帰した場合や、修理サービス等が完了し、リモコン５の運転・停止ボタン５ａが再び押されると異常モードが解除され、異常モードが「解除」であると判断し、図２８のＴｃ時点でステップ１０１７にて室外ファンモータ７ａを停止して室外ファン７を止める。そして、空気調和機の運転が再び可能となる運転スタンバイの状態に移行し、次の運転（図２８のＴｄ時点）を待つ。なお、室外ファン７を３個や４個などもっと多くの複数の室外ファン７を備えたものであってもよく、一部の室外ファン７を運転し、他の室外ファン７を停止するだけで、通常の運転と区別可能なパターンが同様に得られる。なお、室外ユニット１の異常時について説明したが、室内ユニット２の異常時にも同様に室外ファン７を区別運転してもよい。
【０１９５】
このように、室外ユニット１に複数の室外ファン７を備え、室外ファン区別運転手段４５による室外ファン７の通常の運転と区別可能な所定の回転パターンは、一部の室外ファン７を運転し、他の室外ファン７を停止させたものであってもよく、他の実施の形態と同様に目的の室外ユニット１を簡単に見つけ出すことができるとともに、簡単な室外ファン７の制御で通常の運転と区別可能な回転パターンが得られる効果がある。なお、この実施の形態では区別運転時に一定の回転数で室外ファン７を回転させて制御が簡単なものを示したが、他の実施の形態と同様に、一方の室外ファン７を回転と停止、あるいは高回転と低回転のパターンで運転させ、他の室外ファン７を停止させるようにしてもよく、同様に通常の運転と区別できる効果がある。
【０１９６】
実施の形態６．
上記実施の形態５では室外ファン７を２個備え、一方の室外ファン７を回転させ、他の室外ファン７を停止させることで、通常の室外ファン７の運転と区別したものを示したが、一方の室外ファン７で室外ユニット１の異常を、他方の室外ファン７で室内ユニット２の異常やその異常内容を所定のパターンで区別できるようにしてもよい。
【０１９７】
この発明の実施の形態６の動作を図２９，図３０について説明する。図２９はこの発明の実施の形態６を示す空気調和機異常時の動作を説明するフローチャートである。なお、このフローチャートのプログラムは室外制御マイコン３０および室内制御マイコン４０のメモリ（図示せず）等に記憶され、室外制御マイコン３０および室内制御マイコン４０等で実行される。図３０はこの発明の実施の形態６を示す空気調和機異常時の運転モード、圧縮機、上の室外ファン、下の室外ファン、リモコン操作の運転状態を説明するタイムチャートである。図３０において、横軸は時間を表し、Ｔａ〜Ｔｆは主要な各時点で、ＴａからＴｆへと進行する。また、縦軸は室内ユニット運転モードの正常／異常、室外ユニット運転モードの正常／異常、圧縮機の運転／停止、上の室外ファンの運転／停止、下の室外ファンの運転／停止、リモコン操作による運転／停止の状態を表している。なお、記載以外の構成と動作は上記実施の形態１〜５と同等であり、説明は省略する。
【０１９８】
まず、図３０のＴａ時点のようにリモコン５の運転・停止ボタン５ａを押して空気調和機が運転されると、室外制御マイコン３０及び室内制御マイコン４０が室内ユニット２を運転するとともに、室外ユニット１もステップ１１１１にて圧縮機９および室外ファンモータ７ａの運転を開始する。
【０１９９】
まず、異常検出手段４４により、ステップ１１１１〜ステップ１１２３からなる空気調和機の異常検出ステップが行われる。その内、ステップ１１１２〜ステップ１１１７が室外ユニット１の異常検出ステップで、ステップ１１１２で吐出温度検出センサ１７の値を取り込む。次に、ステップ１１１３にて高圧圧力スイッチ１４の作動状態を取り込む。次に、ステップ１１１４にて低圧圧力スイッチ１５の作動状態を取り込む。次に、ステップ１１１５にて圧縮機電流センサ３２の値を取り込む。次に、ステップ１１１６にて放熱フィンセンサ３４の値を取り込む。次に、ステップ１１１７にて直流平滑コンデンサ２８の電圧値を取り込む。このようにステップ１１１２〜ステップ１１１７にて室外制御マイコン３０に室外ユニット１を制御する情報源となる各種センサの値を取り込む。
【０２００】
また、次のステップ１１１８〜１１２０が室内ユニット２の異常を検出するステップであり、ステップ１１１８で室温検出センサ１８の値を取り込む。次に、ステップ１１１９にて室内熱交換器温度検出センサ１９の値を取り込む。次に、ステップ１１２０にてリモコン５との通信が正常かをチェックする。このようにステップ１１１８〜１１２０にて室内制御マイコン４０に室内ユニット２及び室外ユニット１を制御する情報源となる各種センサ等の値を取り込む。そして、この室内制御マイコン４０のデータを通信回路４１ａ，４１ｂを介して室外制御マイコン３０が読み込む。
【０２０１】
ステップ１１２１にてステップ１１１２〜ステップ１１２０で読み込んだデータが異常の値でなければ、ステップ１１２２で運転継続と判断し、ステップ１１１１に戻り通常の運転を継続する。また、ステップ１１２１にてステップ１１１２から１１２０で取り込んだ値の内、いずれか一つでも異常の値であればステップ１１２３で異常モードであると判断し、圧縮機９および上下の室外ファン７をステップ１１２４で停止する。
【０２０２】
次に、ステップ１１２５〜ステップ１１３４からなる室外ユニット１の２個の室外ファン７を、通常の運転と区別可能な所定の回転パターンで運転する室外ファン区別運転手段４５による室外ファン区別運転ステップが行われる。まず、ステップ１１２５にてモータ動作切替スイッチ（切替設定手段）３８の設定状態を取り込み、ステップ１１２６にてステップ１１２５で取り込んだモータ動作切替スイッチ（切替設定手段）３８の設定状態を判定する。
【０２０３】
ステップ１１２５にて、モータ動作切替スイッチ（切替設定手段）３８の設定状態が「区別運転無し」の場合は、ステップ１１２７にて室外ファンモータ７ａを停止のままとし、つまり室外ファン７を停止のままとする。
【０２０４】
ステップ１１２６にて、モータ動作切替スイッチ（切替設定手段）３８の設定状態が「区別運転有り」の場合は、ステップ１１２８〜ステップ１１３３により上の室外ファン７にて室外ユニット１が異常になったことを、また、下の室外ファン７にて室内ユニット２が異常になったことを、それぞれ区別可能なパターンで運転する。
【０２０５】
つまり、ステップ１１２８で異常がステップ１１１２〜ステップ１１１７の異常であったかを判定する室外ユニット１側の異常判定を行う。異常であったならステップ１１２９で上の室外ファン７を３０秒間停止し、ステップ１１３０で３０秒間所定の回転数（Ｘ１）（この実施の形態では４００ｒｐｍ）で運転し、ステップ１１３１へ進む。また、ステップ１１２８で室外ユニット１側の異常でなければそのままステップ１１３１へ進み、ステップ１１３１では異常がステップ１１１８〜ステップ１１２０の異常であったかを判定する室内ユニット２側の異常判定を行う。異常であったならステップ１１３２で下の室外ファン７を３０秒間停止し、ステップ１１３３で３０秒間所定の回転数（Ｘ１）（この実施の形態では４００ｒｐｍ）で運転し、ステップ１１３４へ進む。また、ステップ１１３１で室内ユニット２側の異常でなければそのままステップ１１３４へ進む。
【０２０６】
そして、ステップ１１３４でステップ１１２３にて判断した異常モードが解除されたかを判断し、ステップ１１３４にて、異常状態が解除されず異常モードが「継続」であると判断した場合は、ステップ１１２５に戻り、室外ユニット１側の異常であればステップ１１２９とステップ１１３０を繰り返して、図３０のＴｂ〜Ｔｃ間のようにリモコン５の運転・停止ボタン５ａが押されて、空気調和機の運転を完全に停止されるまで、上の室外ファン７を３０秒間隔で４００ｒｐｍの回転と停止の回転パターンにて運転させる。また、室内ユニット２側の異常であればステップ１１３２とステップ１１３３を繰り返して、図３０のＴｅ〜Ｔｆ間のようにリモコン５の運転・停止ボタン５ａが押されて、空気調和機の運転を完全に停止されるまで、下側のファン７を３０秒間隔で４００ｒｐｍの回転と停止の回転パターンにて運転させる。
【０２０７】
そして、ステップ１１３４にて、異常が高負荷等の一時的な場合で、各種センサ類のデータが正常な値になり正常な状態に復帰した場合や、修理サービス等が完了し、リモコン５の運転・停止ボタン５ａが再び押されると異常モードが解除され、異常モードが「解除」であると判断し、図３０のＴｃ時点やＴｆ時点でステップ１１３５にて室外ファンモータ７ａを停止して上下の室外ファン７を止める。そして、空気調和機の運転が再び可能となる運転スタンバイの状態に移行し、次の運転を待つ。なお、室外ファン７を３個や４個など複数備えた室外ユニット１であってもよく、一部の室外ファン７で室外ユニット１の異常時に区別運転を行い、また、他の室外ファン７で室内ユニット２の異常時に区別運転を行うようにしても同様の効果が得られる。また、複数の室外ファン７でそれぞれ異常内容に応じて区別可能な所定の回転パターンで運転するようにしてもよい。
【０２０８】
このように冷媒配管３にて接続されるとともに、相互に情報を通信する室内ユニット２と複数の室外ファン７を有する室外ユニット１とを備えた空気調和機において、室内ユニット２および室外ユニット１の異常を検出する異常検出手段４４と、異常検出手段４４により室外ユニット１の異常を検出した時に一部の前記室外ファン７を通常の運転と区別可能な所定の回転パターンで運転し、かつ、異常検出手段４４により室内ユニット２の異常を検出した時に他の室外ファン７を通常の運転と区別可能な所定の回転パターンで運転する室外ファン区別運転手段４５と、を設けたので、異常が生じた室外ユニット１あるいは異常が生じた室内ユニット２に接続された室外ユニット１を、特別な部品を設けることなく安価にかつ、簡単に見つけ出すことができ、また、室外ユニット１と室内ユニット２の異常を同時に判別できるので、修理サービスやメンテナンスを容易にできる効果がある。
【０２０９】
また、上記実施の形態１〜６の室外ファン７の回転方向は、通常一方向に回転するものであるが、逆回転に制御できるタイプの室外ファンであれば、逆回転させて通常の運転と区別可能にしてもよい。また、上記実施の形態１〜６では一台の室外ユニット１に対して一台の室内ユニット２が接続されたものを示したが、一台の室外ユニット１に複数台の室内ユニット２が接続されたものであってもよい。また上記実施の形態１〜６で異常を検出するデータ源として吐出温度検出センサ１７等を示したが、一例であり上記実施の形態で示したものに限定されるものでは無く、他のセンサ等であってもよい。
【０２１０】
【発明の効果】
本発明に係わる空気調和機は、冷媒配管にて接続されるとともに、相互に情報を通信する室内ユニットと室外ユニットとを有する空気調和機において、前記室内ユニットあるいは前記室外ユニットの異常を検出する異常検出手段と、前記異常検出手段により異常を検出した時に、前記室外ユニットの室外ファンを通常の運転と区別可能な所定の回転パターンで運転する室外ファン区別運転手段と、を設けたので、異常が生じた室外ユニットあるいは異常が生じた室内ユニットに接続された室外ユニットを、特別な部品を設けることなく安価に、かつ簡単に見つけ出すことができる効果がある。
【０２１１】
また、本発明に係わる空気調和機は、冷媒配管にて接続されるとともに、相互に情報を通信する室内ユニットと室外ユニットとを有する空気調和機において、前記室内ユニットあるいは前記室内ユニットに運転指令を与えるリモートコントローラに配置した点検指令信号を与える点検指令手段と、前記点検指令手段から点検指令信号を受信した時に、前記室外ユニットの室外ファンを通常の運転と区別可能な所定の回転パターンで運転する室外ファン区別運転手段と、を設けたので、定期的なメンテナンス等の際に、室内ユニットと離れた位置に接続された目的の空気調和機の室外ユニットを、特別な部品を設けることなく安価に、かつ簡単に見つけ出すことができる効果がある。
【０２１２】
また、本発明に係わる空気調和機は、冷媒配管にて接続されるとともに、相互に情報を通信する室内ユニットと室外ユニットとを有する空気調和機において、前記室内ユニットあるいは前記室外ユニットの異常を検出する異常検出手段と、前記異常検出手段により異常を検出した時に、異常内容に応じて前記室外ユニットの室外ファンを通常の運転と区別可能な所定の回転パターンで運転する室外ファン区別運転手段と、を設けたので、異常が生じた室外ユニットあるいは異常が生じた室内ユニットに接続された室外ユニットを、特別な部品を設けることなく安価に、かつ簡単に見つけ出すことができ、また、異常の内容も判別できるので、修理サービスやメンテナンスを容易にできる効果がある。
【０２１３】
また、本発明に係わる空気調和機は、冷媒配管にて接続されるとともに、相互に情報を通信する室内ユニットと室外ユニットとを有する空気調和機において、前記室内ユニットあるいは前記室外ユニットの異常を検出する異常検出手段と、前記異常検出手段により異常を検出した時に、異常内容を記憶する異常記憶手段と、前記室内ユニットあるいは前記室内ユニットに運転指令を与えるリモートコントローラに配置した点検指令信号を与える点検指令手段と、前記点検指令手段から点検指令信号を受信した時に、前記異常記憶手段で記憶した異常内容を読み出し、読み出した異常内容に応じて前記室外ユニットの室外ファンを通常の運転と区別可能な所定の回転パターンで運転する室外ファン区別運転手段と、を設けたので、異常が生じた室外ユニットあるいは異常が生じた室内ユニットに接続された室外ユニットを、異常から時間が経過した後であっても簡単に見つけ出すことができ、また、異常内容も判別できるので修理サービスやメンテナンスを容易にできる効果がある。
【０２１４】
また、本発明に係わる空気調和機は、冷媒配管にて接続されるとともに、相互に情報を通信する室内ユニットと複数の室外ファンを有する室外ユニットとを備えた空気調和機において、前記室内ユニットおよび前記室外ユニットの異常を検出する異常検出手段と、前記異常検出手段により前記室外ユニットの異常を検出した時に、一部の前記室外ファンを通常の運転と区別可能な所定の回転パターンで運転し、かつ、前記異常検出手段により前記室内ユニットの異常を検出した時に、他の前記室外ファンを通常の運転と区別可能な所定の回転パターンで運転する室外ファン区別運転手段と、を設けたので、異常が生じた室外ユニットあるいは異常が生じた室内ユニットに接続された室外ユニットを、特別な部品を設けることなく安価にかつ、簡単に見つけ出すことができ、また、室外ユニットと室内ユニットの異常を同時に判別できるので、修理サービスやメンテナンスを容易にできる効果がある。
【０２１５】
また、本発明に係わる空気調和機の運転方法は、冷媒配管にて接続されるとともに、相互に情報を通信する室内ユニットと室外ユニットとを有する空気調和機の前記室内ユニットあるいは前記室外ユニットの異常を検出する異常検出ステップと、前記異常検出ステップで異常を検出した時に、前記室外ユニットの室外ファンを通常の運転と区別可能な所定の回転パターンで運転する室外ファン区別運転ステップと、を備えたので、簡単な制御で異常が生じた室外ユニットあるいは異常が生じた室内ユニットに接続された室外ユニットを、特別な部品を設けることなく安価に、かつ簡単に見つけ出すことができる効果がある。
【０２１６】
また、本発明に係わる空気調和機の運転方法は、冷媒配管にて接続されるとともに、相互に情報を通信する室内ユニットと室外ユニットとを有する空気調和機の前記室内ユニットあるいは前記室外ユニットの異常を検出する異常検出ステップと、前記異常検出ステップにより異常を検出した時に、異常内容を記憶する異常記憶ステップと、前記室内ユニットあるいは前記室内ユニットに運転指令を与えるリモートコントローラに配置した点検指令手段から点検指令信号を受信した時に、前記異常記憶ステップで記憶した異常内容を読み出し、読み出した異常内容に応じて前記室外ユニットの室外ファンを、通常の運転と区別可能な所定の回転パターンで運転する室外ファン区別運転ステップと、を備えたので、簡単な制御で異常が生じた室外ユニットあるいは異常が生じた室内ユニットに接続された室外ユニットを、異常から時間が経過した後であっても簡単に見つけ出すことができ、また、異常内容も判別できるので修理サービスやメンテナンスを容易にできる効果がある。
【図面の簡単な説明】
【図１】本発明の実施の形態１を示す空気調和機の全体構成図である。
【図２】本発明の実施の形態１を示す空気調和機のリモートコントローラの正面図である。
【図３】本発明の実施の形態１を示す空気調和機の冷媒回路図である。
【図４】本発明の実施の形態１を示す空気調和機の制御回路ブロック図である。
【図５】本発明の実施の形態１を示す空気調和機の室外ユニットの設置例を説明する斜視図である。
【図６】本発明の実施の形態１を示す空気調和機の主要部のブロック構成図である。
【図７】本発明の実施の形態１を示す空気調和機の室外ユニット異常時の動作を説明するフローチャートである。
【図８】本発明の実施の形態１を示す空気調和機の室外ユニット異常時の運転モード、圧縮機、室外ファン、リモコン操作の運転状態を説明するタイムチャートである。
【図９】本発明の実施の形態１を示す空気調和機の室内ユニット異常時の動作を説明するフローチャートである。
【図１０】本発明の実施の形態１を示す空気調和機の室内ユニット異常時の運転モード、圧縮機、室外ファン、リモコン操作の運転状態を説明するタイムチャートである。
【図１１】本発明の実施の形態１を示す点検司令手段による動作を説明するフローチャートである。
【図１２】本発明の実施の形態１を示す点検司令手段による室外ファン、リモコン点検ボタンの状態を説明するタイムチャートである。
【図１３】本発明の実施の形態２を示す空気調和機の室外ユニット異常時の動作を説明するフローチャートである。
【図１４】本発明の実施の形態２を示す空気調和機の室外ユニット異常時の運転モード、圧縮機、室外ファン、リモコン操作の運転状態を説明するタイムチャートである。
【図１５】本発明の実施の形態３を示す空気調和機の室外ユニット異常時の動作を説明するフローチャートである。
【図１６】本発明の実施の形態３を示す空気調和機の室外ユニット異常時の運転モード、圧縮機、室外ファン、リモコン操作の運転状態を説明するタイムチャートである。
【図１７】本発明の実施の形態４を示す空気調和機の室外ユニット異常時の動作を説明するフローチャートである。
【図１８】本発明の実施の形態４を示す空気調和機の室外ユニット異常時の運転モード、異常内容、圧縮機、室外ファン、リモコン操作の運転状態を説明するタイムチャートである。
【図１９】本発明の実施の形態４を示す空気調和機の室内ユニット異常時の動作を説明するフローチャートである。
【図２０】本発明の実施の形態４を示す空気調和機の室内ユニット異常時の運転モード、異常内容、圧縮機、室外ファン、リモコン操作の運転状態を説明するタイムチャートである。
【図２１】本発明の実施の形態４を示す室外ユニット異常時の点検司令手段による動作を説明するフローチャートである。
【図２２】本発明の実施の形態４を示す室外ユニット異常時の点検司令手段による室外ファン、リモコン点検ボタンの状態を説明するタイムチャートである。
【図２３】本発明の実施の形態４を示す室内ユニット異常時の点検司令手段による動作を説明するフローチャートである。
【図２４】本発明の実施の形態４を示す室内ユニット異常時の点検司令手段による室外ファン、リモコン点検ボタンの状態を説明するタイムチャートである。
【図２５】本発明の実施の形態５を示す空気調和機の全体構成図である。
【図２６】本発明の実施の形態５を示す空気調和機の制御回路ブロック図である。
【図２７】本発明の実施の形態５を示す空気調和機の室外ユニット異常時の動作を説明するフローチャートである。
【図２８】本発明の実施の形態５を示す空気調和機の室外ユニット異常時の運転モード、圧縮機、上の室外ファン、下の室外ファン、リモコン操作の運転状態を説明するタイムチャートである。
【図２９】本発明の実施の形態６を示す空気調和機の異常時の動作を説明するフローチャートである。
【図３０】本発明の実施の形態６を示す空気調和機の異常時の室内ユニット運転モード、室外ユニット運転モード、圧縮機、上の室外ファン、下の室外ファン、リモコン操作の運転状態を説明するタイムチャートである。
【符号の説明】
１　室外ユニット、２　室内ユニット、３　冷媒配管、４　室内・室外接続用配線、５　リモコン（リモートコントローラ）、５ａ　運転・停止ボタン、５ｂ運転切換ボタン、５ｃ　タイマボタン、５ｄ　風速調節ボタン、５ｅ　上下風向ボタン、５ｆ　室温調節ボタン、５ｇ　ルーバーボタン、５ｈ　点検ボタン（点検指令手段）、５ｊ　試運転ボタン、５ｋ　表示部、６　リモコン用配線、７室外ファン、７ａ　室外ファンモータ、８　グリル、９　圧縮機、１０　室外熱交換器、１１　室内熱交換器、１２　室内ファン、１２ａ　ファン駆動回路、１３　四方弁、１４　高圧圧力スイッチ、１４ａ　変換回路、１５　低圧圧力スイッチ、１５ａ　変換回路、１６　外気温度検出センサ、１６ａ　変換回路、１７　吐出温度検出センサ、１７ａ　変換回路、１８　室温検出センサ、１８ａ　変換回路、１９　室内熱交換器温度検出センサ、１９ａ　変換回路、２０　絞り弁、２１ａ，２１ｂ　接続バルブ、２２　アキュムレータ、２３　マフラー、２４　室外制御基板、２５　室内制御基板、２６　交流商用電源、２７　整流回路、２８　直流平滑コンデンサ、２８ａ　直流電圧検出回路、２９　圧縮機用インバータ回路、３０　室外制御マイコン、３１　インバータ制御回路部、３２　圧縮機電流センサ、３２ａ　電流センサ変換回路、３３　放熱フィン、３４　放熱フィンセンサ、３４ａ　変換回路、３５　インバータ回路、３６　ファンモータ駆動マイコン、３７　通信回路、３８　モータ動作切替スイッチ（切替設定手段）、３９　不揮発性メモリ、４０　室内制御マイコン、４１ａ　通信回路、４１ｂ　通信回路、４２　不揮発性メモリ、４３　リモコン通信回路、４４　異常検出手段、４５　室外ファン区別運転手段、４６　異常記憶手段。
【図１】
2004116836.tif 000003
【図２】
2004116836.tif 000004
【図３】
2004116836.tif 000005
【図４】
2004116836.tif 000006
【図５】
2004116836.tif 000007
【図６】
2004116836.tif 000008
【図７】
2004116836.tif 000009
【図８】
2004116836.tif 000010
【図９】
2004116836.tif 000011
【図１０】
2004116836.tif 000012
【図１１】
2004116836.tif 000013
【図１２】
2004116836.tif 000014
【図１３】
2004116836.tif 000015
【図１４】
2004116836.tif 000016
【図１５】
2004116836.tif 000017
【図１６】
2004116836.tif 000018
【図１７】
2004116836.tif 000019
【図１８】
2004116836.tif 000020
【図１９】
2004116836.tif 000021
【図２０】
2004116836.tif 000022
【図２１】
2004116836.tif 000023
【図２２】
2004116836.tif 000024
【図２３】
2004116836.tif 000025
【図２４】
2004116836.tif 000026
【図２５】
2004116836.tif 000027
【図２６】
2004116836.tif 000028
【図２７】
2004116836.tif 000029
【図２８】
2004116836.tif 000030
【図２９】
2004116836.tif 000031
【図３０】
2004116836.tif 000032